(57)【特許請求の範囲】
【請求項１】
網目材の回りに打込まれた打込み可能な材料によって最終的に形成され、実質的に鉛直に配置された表面に建築学的仕上げ要素を固着する方法において、
ａ）突起が裏張り表面から略離反するように、該建築学的仕上げ要素の裏張り表面に、末端部を備えた鉤状の部分有する少なくとも一つの突起を、該末端部が該建築学的仕上げ要素の裏張り表面に略平行に延びるように、固着する固着段階であって、
と、
ｂ）該打込み可能な材料が凝固する前に、該裏張り表面が該打込み可能な材料の表面に載上するまで、該打込み可能な材料へ該少なくとも一つの突起を挿入し、該少なくとも一つの突起を該網目材に協働させて、掛合する挿入段階と、
ｃ）該打込み可能な材料を該少なくとも一つの突起の回りに凝固させ、これにより、該打込み可能な材料において該突起を堅く固着し、該建築学的仕上げ要素を固着する凝固段階とを含み、
ｄ）該末端部が、該網目材に掛合するとき下方に突出して、該少なくとも一つの突起が該網目材に機械的に掛合する
ことを特徴とする方法。
【請求項２】
挿入段階が、固着段階によって先行される請求の範囲１に記載の建築学的仕上げ要素を固着する方法。
【請求項３】
固着段階が、挿入段階中、網目に掛合し係留する部分を該少なくとも一つの突起を形成する段階によって先行される請求の範囲１に記載の建築学的仕上げを固着する方法。
【発明の詳細な説明】
【技術分野】
【０００１】
この発明は、家、アパート、事務所建物等の３次元構造物を作製する際に使用される耐震、耐火及び耐風性のプレハブ建築パネルに関する。発明による複数のパネルが、図示及び記載され、そしてまた、そのようなパネルを作製する方法、本発明による３次元構造物の例、並びに３次元構造物を建造するための出荷用構成部品用に特に適合された出荷用容器が記載される。
【背景技術】
【０００２】
プレハブパネル
プレハブ建築パネルは、一般に、前構築された骨組構造に迅速かつ容易に締結される建物構成部品として作用する。しかし、多数の人時が、骨組構造物を前構築し、プレハブパネルの収容のためにそのような構造物を準備するために必要とされる。前構築された骨組とプレハブパネルの双方における寸法公差は、長い期間にわたって集積し、究極的に、パネルは、前構築された骨組に適正に設置されない。
【０００３】
さらに、従来のプレハブパネルは、通常、前構築された骨組の外側に締結され、そのようなパネルを正の風荷重に耐久させるが、暴風によって生ずる如く負の風荷重には耐えることができない。
【０００４】
負の荷重では、通常、外部で締結されたパネルは、骨組構造物から引きはがされる。これはまた、骨組の外側に締結された従来の合板外装でも発生する。負の風荷重を受けるそのような先行技術のプレハブパネルの例は、Ｈｕｅｔｔｅｍａｎｎへの米国特許第４，８４１，７０２号とＨｉｔｃｈｉｎへの米国特許第４，９３７，９９３号において与えられる。このため、望まれるものは、正及び負の動的荷重に耐えることができる建築パネル又は建築体系である。
【０００５】
３次元構造物
多くの建築設計における考慮は、地震活動によって生ずる地震力への建物の耐震性である。多くの従来の建築設計として、建物が立てられる土壌のために適切な強化土台を備えた固形単体打ちコンクリート基礎がある。連結された一体壁部分の形態における建物骨組は、固形単体基礎上へ組み上げられ、そして合板外装又はプレハブパネルが、骨組へ締結される。（もちろん、合板外装とプレハブパネルは、上記の不都合を被る。）
固形単体基礎は、単体で剛性であるために、地震力の下で問題を提示する。これは、そのような力を基礎を通して伝達させるが、そのような剛性基礎は、き裂又は破壊なしに、そのような力を吸収するために十分に弾力かつ弾性的に作用することができない。基礎におけるき裂又は破壊は、浸水され、き裂又は破壊を基礎を通して伝搬させ、基礎の劣化を生じさせる傾向がある。
【０００６】
さらに、構造物の骨組の一体壁部分は、一般に、くぎで留められた木材から形成される。しばしば、地震力は、くぎ留め壁を引きはがすために十分であり、骨組の局所破損を生じさせ、壁の崩壊と建物の潜在的な崩壊につながる。この形式の木材骨組は、比較的弾力的な弾性構造物を提示するが、一般に、骨組部分の間の接合部は、そのような荷重の下で骨組部分を一緒に保持するために十分に強力ではなく、こうして、地震力は、荷重の共有に役立つために骨組の他の部分へ適正に分散されない。このため、望ましいものは、十分に弾力的な弾性建築物基礎と、地震力に耐久し、それを分散させることができる十分に弾力的な弾性骨組構造物である。
【０００７】
高層アパート又は事務所建物はまた、時々、十分に弾力的な弾性基礎及び骨組構造物、並びに地震力に耐久しそれを分散させることができる壁パネル及び仕切りを欠如する。こうして、高層アパート及び事務所建物において、又は事実上、そのような力にさらされた任意の構造物においてそのような能力を設けることが望ましい。
【０００８】
地震力に耐える必要性のほかに、最小の労力要求により、迅速かつ容易な構築が可能なプレハブ建物構造を設ける必要性が存在する。現在、従来の容易に構築される建物構造は、構築地点へ輸送されるトレーラー、移動ホーム等のプレハブ構造である。そのような構造の輸送は、費用がかかり、例えば、船舶において膨大な空間を必要とする。構造の個々の構成部品を出荷し、それから、構造を迅速かつ容易に構築することが可能であったならば、出荷又は輸送費用は、低下され、構造を構築するための労力必要条件は、低減され、構造自体を構築する費用は、低下される。こうして、これらの利点を設けることができる建物構成部品を設けることが望ましい。
【０００９】
輸送
さらに、トレーラー、移動ホーム、及びモジュラー家屋の如く、従来のプレハブ建物構造の輸送に対して、そのような品目は、通常、出荷中互いに積み重ねられる。しかし、一般に、これらの構造は、自重のみを保持するように設計され、特にこれらが搬送される船舶が荒海において航海する間、他の構造の重量を保持することができない。こうして、付加的な構造支持物が、プレハブ構造を積み重ねるために必要とされ、あるいは積み重ねは除去されなければならず、船舶における船荷空間は非効率な使用となる。
【００１０】
このため、望ましいものは、建物体系の構成部品を損傷することなく、出荷され、付加的な構造を必要とすることなく積み重ねられ、船舶における船荷空間又は他の輸送モードの効率的な使用をするプレハブ建物体系である。
【発明の開示】
【課題を解決するための手段】
【００１１】
先行技術における上記の問題は、複数の骨組部材を具備する、耐震、耐火及び耐風性プレハブ建物パネルを設けることにより、扱われる。骨組部材は、骨組平面にある骨組を形成するために一緒に連結され、骨組は、パネルの周囲を規定し、周囲は、パネルの内側部分を境界付ける。骨組部材の少なくとも幾つかは、一般に骨組平面において、パネルの内側部分に向かって、内方に強制される。第１凝固打込み可能な物質は、骨組部材の間の、骨組の内側部分に打込まれる。
【００１２】
好ましくは、骨組部材は、それらの少なくとも２つの間に配設された弾力的に拡張可能な引張リンクによって内側に強制される。さらに好ましくは、可撓性性引張リンクは、骨組部材の間の第１平面にある垂直部分と、骨組部材の間の第２平面にある対角部分を有し、第２平面は、第１平面から離間される。打込み可能な物質は、風荷重の如く打込み可能な物質に課せられた荷重が、引張リンクへ伝達され、このため、パネルの骨組部材に伝達される如く、垂直及び対角部分の回りに打込まれる。
同様に、好ましくは、パネルは、少なくとも２つの骨組部材の間に可撓性網目材の層を含み、骨組部材をさらに内側に強制させるために、それらの間に張力をかける。打込み可能な物質は、打込み可能な物質に課せられた力を骨組部材へさらに分散させるために、可撓性網目材の回りに打込まれる。
【００１３】
同様に、好ましくは、少なくとも２つの対向した骨組部材が、同一パネルの隣接骨組部材に緩く連結され、２つの対向した骨組部材は、少なくとも隣接部材の軸に平行な方向において、隣接骨組部材に関して移動することができる。
【００１４】
家屋の如く３次元構造は、上記の如く、パネルを連結することにより形成される。パネルの連結は、各パネルの個々の骨組部材を本質的に連結し、これにより、骨組部材の間の空間を占有する各パネルの打込み可能な物質により３次元空間骨組を形成する。空間骨組は、弾性かつ延性であり、このため、全構造を通して地震及び風力を分散させ、こうして、任意の所与の位置における力の集中を低減させ、構造の任意の所与の部材の破損の可能性を縮小する。特に、パネルの連結は、地震力を吸収して全３次元構造に分散させ、そして強制された骨組部材は、個々のパネルの打込み部分に達する残留の地震力を吸収するために作用する。打込み可能な物質は、強制された骨組部材と協働して、正及び負の動的荷重にパネルを耐久させる。しかし、ほんの最小量の打込み可能な物質が、パネルの構造的保全性を高める戦略位置において使用される。打込み可能な物質はまた、パネルを保護するために作用する耐火層を設け、任意の建築学的仕上げに対する優れた基部を設ける。
【００１５】
家屋の如く３次元構造を形成するために必要なパネル及び構成部品の輸送は、好ましくは、究極的に構造の作製において使用を予定された、複数のパネルを連結することにより、容器を形成することで達成され、構造を形成するために必要な残余のパネル及び構成部品を配置する剛性容器が形成される。このため、構造のパネルの少なくとも幾つかは、構造を組み立てるために必要な残余のパネル及び構成部品を輸送するために使用された容器の壁部分として作用する。こうして、構造の幾つかのパネルは、２つの異なる目的を果すために使用される。即ち、容器を形成することと、構成部品が形成された容器において輸送される構造の部分を形成することである。
【実施例】
【００１６】
建築構造とプレハブパネル
第１図
第１図を参照すると、本発明による基礎部材とパネルから形成したプレハブ家屋が、建築地点１２において全体を１０で示される。家屋は、一般に１４で示された基礎と、第１複数のプレハブ第１床パネル２０と、第１複数のプレハブ外壁パネル２２と、第１複数のプレハブ内壁パネル２４と、第２複数のプレハブ第２床パネル２６と、第２複数のプレハブ外壁パネル２８と、第２複数のプレハブ内壁パネル３０と、第３複数のプレハブ第２床パネル３２と、第３複数のプレハブ外壁パネル３４と、第３複数のプレハブ内壁パネル３６と、複数のプレハブ屋根パネル３８とを含む。
【００１７】
基礎
第２図を参照すると、基礎１４が、発明の第１実施態様により示され、それぞれ、４０、４２、４３で指定された側部、端部及び中央基礎部材を含む。各基礎部材は、コンクリートを打込むことにより形成され、地面に建てるための土台部分と、建築構造を支持するための支持部分とを含む。支持部分は、前組み立てられた中空鋼ビームの回りに打込められる。各基礎部材はまた、側部、端部及び中央基礎部材が、相互に嵌合する掛合面４１を有し、相互に連結される如く形成される。
【００１８】
側部基礎部材
側部基礎部材４０は、第１及び第２対向端部分４６と４８と、それらの間に配設された中央部分５０とを有する。第１及び第２端部分４６と４８は、それぞれ、第１及び第２短鋼管部分５２と５４を有するが、中央部分は、第１及び第２端部分の間に配設され、それらに溶接された比較的長い鋼管部分５６を有する。長い部分５６は、ダクト５８が第１管部分５２と第２管部分５４の間に形成される如く、短い部分と連通している。管部分が溶着される時、単一長の構造管が形成される。ダクトは、水、電気等のためのユーティリティー導管を保持するために機能する。  
【００１９】
第３図
第３図を参照すると、側部基礎部材４０が、鋼管部分のための構造支持物を形成するために、鋼管部分５２、５４、５６を取り囲むコンクリート土台部分６０とコンクリート支持部分６２を形成される。鋼管は、支持部分６２において縦方向に配設される。中空導管６４は、土台部分６０において形成され、スタイロフォームの如く絶縁材（不図示）を充てんされ、絶縁特性を部材に設け、コンクリートがき裂する場合に湿気の侵入を防止する。絶縁材はまた、基礎部材を軽量にする。
【００２０】
第１及び第２端部分４６と４８は、第３図にその部分４８のみが示され、それぞれ、長い鋼管部分５６及び第２鋼管部分５４と直連通している、それぞれ、第１及び第２垂直ダクト部分６６と６８を有する。第１及び第２垂直ダクト部分は、床パネルと壁パネルを基礎部材に連結するための連結手段として作用する、それぞれ、基礎連結フランジ７０と７２を有する。中央部分５０はまた、第１及び第２端部分の間のほぼ中間に配設された第１及び第２垂直ダクト部分７４と７６を有し、これらは、長い鋼管部分５６と直連通し、それぞれの基礎連結フランジ７８と８０を有する。基礎連結フランジ７０、７２、７８と８０の各々は、それぞれの垂直ダクトへの接近を許容し、連通するためのそれぞれの開口８２を有し、そして各フランジは、床パネルを基礎部材に連結する際に使用される、締結部材を収容可能にするためのそれぞれのねじ開口８４を有する。
【００２１】
第２図と第３図を参照すると、第１及び第２端部分４６と４８はまた、側部基礎部材のそれぞれの端部掛合面と同一平面にある第１及び第２連結フランジ８６と８８を有する。第１及び第２連結フランジ８６と８８は、側部基礎部材を隣接端部基礎部材４２に連結するために使用される。中空管によって形成された水平ダクトは、それぞれの掛合面４１において接近可能な端部開口８９と９１を有する。
【００２２】
端部基礎部材
第２図を参照すると、端部基礎部材４２は、中空鋼管部分９０を含み、それぞれ、土台及び支持部分９２と９４を有し、第３図に最良に示された絶縁物充てん導管９６を有することにおいて、側部基礎部材に類似する。再び第２図を参照すると、端部基礎部材はまた、第１及び第２端部分９８と１００を有し、中空鋼管部分９０から伸びる第１及び第２の弾性変形可能な連結フランジ１０２と１０４が硬直に連結され、隣接側部基礎部材（８６、８８、１４２）の協働する連結フランジと嵌合され、ボルト付けされる。
【００２３】
中央基礎部材
さらに第２図を参照すると、中央基礎部材４４は、中央部分１０６と、第１及び第２「Ｔ」形状端部分１０８と１１０を有する。中央部分１０６は、長い鋼管部分１１２に対して直角で配設された第１及び第２中空鋼端部部材１１４と１１６へ連結された比較的長い中空鋼管部分１１２を含み、第１及び第２中空鋼部材１１４と１１６の間の連通を許容するように連結される。
【００２４】
各端部分１０８と１１０は、それぞれ、第１、第２及び第３垂直ダクト１１８、１２０、１２２を有する。第１垂直ダクト１１８は、長い鋼管部分１１２と直連通するが、第２及び第３垂直ダクトは、第１（及び第２）鋼端部部材１１４と直連通している。第１、第２及び第３ダクトの各々は、それぞれのダクトと連通する開口１２６と、隣接床部材を中央基礎部材に連結する際に使用されるねじファスナーを収容するためのねじ開口１２７とを備えたそれぞれのダクト連結フランジ１２４を有する。
【００２５】
中央部分１０６はまた、第１及び第２端部分１０８と１１０の間のほぼ中間に配設され、長い鋼管部分１１２と直連通している第１及び第２垂直ダクト部分１２８と１３０を有する。これらのダクト部分はまた、それぞれの基礎連結フランジ１３２と１３４を有する。基礎連結フランジの各々は、それぞれの垂直ダクトとの連通のためのそれぞれの開口１３６を有し、そして各フランジは、床パネルを基礎部材に連結する際に使用される、締結部材を収容可能にするためのそれぞれのねじ開口１３８を有する。
【００２６】
中央基礎部材は、さらに、中央基礎部材を隣接端部部材４２に連結する際に使用される部材の対向側において第１及び第２連結フランジ１４０と１４２を含む。
【００２７】
好ましい実施態様において、それぞれの基礎部材のすべての鋼構成部品は、鋼構成部品が基礎部分内に剛性構造を形成する如く、同一基礎部材の隣接鋼部材へ溶接される。それから、コンクリート土台部分と壁部分は、図面に描かれた個々の基礎部材を形成するために、剛性構造の回りに形成される。所望ならば、コンクリート硬化プロセスは、部材を炉に通過させるか、又は蒸気の使用により加速される。所望の仕上げと防止がまた、この時点において付加される。それから、個々の基礎部材は、第２図に示された如く、全建築構造のための基礎を形成するために、各部材において弾性変形可能な連結フランジを使用して、連結される。連結フランジはまた、基礎部材の鋼管部材を連結し、こうして、平坦な平面にある立体骨組を形成し、基礎部材の各々の管部材は、立体骨組部材として作用する。
【００２８】
床パネル
第４図
第４図を参照すると、本発明の第２実施態様による床パネルの作製が、１５０、１５２、１５３、１５４と１５５で示された如く、第１、第２、第３、第４及び第５の２”×４”中空鋼管骨組部材を長さに切断することにより開始されるが、鋼管は、所望の構造荷重必要条件を満たすために任意の適切なサイズであっても良いことが認められる。鋼管部材は、パネルのための骨組部材として作用する。骨組部材１５２と１５４は、骨組の一対の隣接側部を形成し、そして骨組部材１５０と１５５は、骨組の一対の対向側部を形成し、対向側部の対は、隣接側部の対の間に配される。骨組部材１５３は、部材１５２と１５４の間の中央位置において骨組部材１５０と１５５の間に配設される。
【００２９】
骨組部材１５０と１５５は、それぞれ、対向端部分１５６、１５８、１６０と１６２を有する。端部分１５６のみが説明されるが、端部分１５８、１６０と１６２も同様であることが理解される。
【００３０】
第５図、第６図と第７図
第５図、第６図と第７図を参照すると、端部分１５６が、非常に詳細に示される。骨組部材１５０は、縦軸１６４、外面１６５、内面１９０と端面１６６を有する。外面１６５は、骨組部材の長さにわたり、最終パネルの外縁を形成する。内面１９０は、骨組の内側部分に向かって内方に面する。端面１６６には、鋼骨組部材１５０の端部分を覆うための板１６８が固着される。板１６８は、縦骨組部材１５０内の同等の長さの中空部分１８０への接近を設ける第１及び第２使用開口１７６と１７８を有する。板はまた、板とこうして縦骨組部材を、隣接パネルの隣接部材へ締結させるためのねじファイナーを収容するための開口１８２と１８４を有する。
【００３１】
第５図を参照すると、平行部材１７０が、縦軸１６４に平行な方向において配設される。平行部材１７０は、縦骨組部材１５０と、板１６８へ溶接される。板１６８と平行部材１７０に垂直なフランジ１７２は、平行部材１７０と板１６６に連結される。フランジ１７２は、電気導管及び／又は給水導管（不図示）を収容するために十分なサイズの開口１７４を有する。
【００３２】
第６図
第６図を参照すると、内面１９０は、ピンレセプタクル１８６と１８８を有する。内面１９０におけるレセプタクル１８６に隣接して、それぞれの予備溶接鋼フック１９６が締結された第１複数の鋼板１９２が、骨組部材１５０に沿って縦方向に第１フック平面３０８において配設される。第４図を参照すると、フック１９６は、骨組部材１５０に沿ってある間隔で位置する。
【００３３】
再び第６図を参照すると、それぞれのフック１９８が締結された第２複数の鋼板１９４がまた、骨組部材１５０に沿って縦方向に第２フック平面３１２において配設される。第１及び第２フック平面３０８と３１２は、平行かつ離間され、第５図の縦軸１６４に交差する横に広がる縦平面１９７の対向側において対称的である。
【００３４】
第７図を参照すると、縦平面１９７は、骨組部材を、側部１部分１９９と側部２部分２０１を含む２つの部分に分割する。こうして、第１フック平面３０８にあるフック１９６は、側部１部分にあり、そして第２フック平面３１２にあるフック１９８は、側部２部分にある。本実施態様において、側部１部分１９９は、究極的に、パネルの「床」表面を形成し、そして側部２部分２０１は、究極的に、家屋の下の地面に面する。
【００３５】
第６図と第７図
第６図と第７図を参照すると、第１複数のプリカット屈曲チェアボルスタフック２０４が内面１９０に固着され、各々は、第７図に最良に示された、それぞれ、第１及び第２対向部分２０６と２０８を有する。フックの第１部分２０６は、骨組部材の側部１部分１９９に沿って縦向きの第３フック平面３１０において離間関係において配設される。第３フック平面は、第１及び第２フック平面３０８と３１２に平行であり、かつそれらから離間される。
【００３６】
第１及び第２対向フック部分２１２と２１４をそれぞれ有する第２複数のプリカット屈曲チェアボルスタフック２１０はまた、骨組部材の側部２部分２０１に沿って離間関係において配設される。第１フック部分２１２は、第１、第２及び第３フック平面３０８、３１０と３１２に平行で、それらから離間した第３フック平面において配設される。
【００３７】
第４図を参照すると、部材１５０と１５５は、相互の鏡像であり、このため、骨組部材１５５は、フック１９６とチェアボルスタフック２０４（及び２１０、不図示）の同様の配置を有することが認められる。
【００３８】
さらに第４図を参照すると、側部部材１５２と１５４は、それぞれ、第１及び第２端部分を有し、端部分は、それぞれ、２１６と２１８と指定される。端部分は、類似であり、このため、端部分２１６のみが説明される。
【００３９】
第８図
第８図を参照すると、骨組部材１５２は、外面２２０、内面２２２、及び縦軸２２を有し、縦軸２２５は、骨組部材１５０の縦軸と同一縦平面１９７にある。端面２２６は、端部分２１６において形成され、端面平面２１７にある。内面２２２には、突出部分２２８と平行部分２２９を有する横向き山形材２２４が固着される。突出部分２２８は、端面平面２１７において伸び、そして突出部分２２９は、内面２２２に溶接される。
【００４０】
第９図
第９図を参照すると、突出部分２２８は、端面平面２１７に垂直な第１横向きフック２３０を有する。フックは、端面平面２１７を貫通する第１シャンク部分２３２と、平行部分２２９に平行、かつ隣接して第１シャンク部分２３２に対向した第１フック部分２３４とを有する。第１フック部分２３４は、骨組部材の側部１部分２２１に隣接して、縦平面１９７に平行な、離間した第５フック平面３４０にある。第５フック平面はまた、第１、第２、第３及び第４フック平面３０８、３１２、３１０と３１４に平行で、それらから離間される。
【００４１】
さらに第９図を参照すると、端部分２１６はまた、第１フック２３０に対向して山形材の部分において第２フック２３６を有し、第２フックは、第２シャンク部分２３８と第２フック部分２４０を有する。第２シャンク部分２３８は、第１シャンク部分２３２に平行に配設され、そこから離間される。第２フック部分２４０は、骨組部材の側部２部分２２３に隣接して、縦平面１９７に平行な、それから離間した第６フック平面３４１にある。第６フック平面はまた、第１、第２、第３、第４及び第５フック平面３０８、３１２、３１０、３１４と３４０に平行で、それらから離間される。
【００４２】
第９図と第１０図
第９図と第１０図を参照すると、内面２２２の側部１部分２２１には、第１複数のチェアボルスタフック２４２が固着される。チェアボルスタフック２４２は、骨組部材１５２に沿って縦に離間関係において固着され、第５図、第６図と第７図において以前に記載された、チェアボルスタフック２０４と同様である。再び第９図と第１０図を参照すると、フック２４２の各々は、第３フック平面３１０にある第１部分２４４を有する。
【００４３】
同様に、内面の側部２部分２２３には、第２複数のチェアボルスタフック２４８が固着される。チェアボルスタフック２４８はまた、骨組部材１５２に沿って縦方向に離間関係において固着され、第５図、第６図と第７図において示された前述のチェアボルスタフック２１０と同様である。再び第９図と第１０図を参照すると、フック２４８の各々は、第４フック平面３１４にある第１部分２４３を有する。
【００４４】
再び第４図を参照すると、骨組部材１５３は、骨組１５２と１５４と同様であるが、但し、骨組部材１５３は、２つの側面２４５と２４７を有し、フック部分が、それぞれ、第３及び第４フック平面３１０と３１４にある如く、それぞれの複数のチェアボルスタフック２６０を配設している。さらに、骨組部材１５３は、それぞれ、第１及び第２端部分２６２と２６４を有し、４つのフックと、第９図と第１０図におけるシャンク部分２３２と２３８と同様な伸長シャンク部分を備え、そのようなフックのわずかに２つが、第４図において２６６と２６８で示される。
【００４５】
骨組部材を組み立てるために、第９図と第１０図に示されたシャンク部分２３２と２３８は、第６図に示された骨組部材１５０のレセプタクル１８６と１８８において収容される。同様の挿入は、骨組の残余の隅部の各々において行われる。さらに、第４図において２６６と２６８でわずかに２つが示された４つのフック部分は、縦骨組部材１５０において対応するレセプタクル（不図示）内に収容される。
【００４６】
ねじ又はリベットは、骨組部材を連結するために使用される。各接合部におけるシャンク部分は、それらのレセプタクルに単に緩く保持され、こうして、対向部材１５０と１５５は、隣接骨組部材１５２、１５３と１５４の縦軸に平行な方向において移動させられる。これは、最終パネルに及ぼされた力をパネルに吸収させ、地震による地震力、暴風、火災からの熱応力、洪水による力の如く、動的な力を吸収する際にパネルを有効にするために重要である。
【００４７】
第１１図
第１１図を参照すると、骨組部材は、上記の緩く連結された配置において連結され、骨組平面にある骨組を形成する。図示の実施態様において、骨組部材は、パネルの周囲を規定し、周囲は、パネルの第１及び第２内側部分２７０と２７２を境界付ける。パネルの一方の側において、第１内側部分２７０内に、スタイロフォームの第１予備形成又は前打込み絶縁スラブ２７４が配設される。スタイロフォームスラブは、骨組部材１５０、１５２、１５３と１５５の間で、内側部分内にスラブを居心地良くはめ合わせる外側寸法を有する。
【００４８】
スタイロフォームスラブは、複数の縦凹部２７６、２７８、２８０、２８２、２８４と２８６を有するように予備形成又は前打込みされる。スラブはまた、対向側部の間に、スラブを横断する第１及び第２横凹部２８８と２９０を有する。スラブはまた、スラブにおいて「Ｘ」形状を形成する第１及び第２対角凹部２９２と２９４を有する。凹部は、パネルの内側２９６を究極的に形成するものに形成される。内側に対向した外側（不図示）も、同様にして形成される。
【００４９】
第１２図
第１２図を参照すると、凹部２７８は、残余の凹部を表現し、一般に切頭三角形の形状である。各凹部は、第１及び第２傾斜側部部分２９８と３００を底部部分３０２によって連結される。
【００５０】
骨組部材１５０、１５２、１５３と１５５に隣接して、絶縁スラブの４つの側部の各々は、スラブの対向側においてすぐ隣接する凹部の対向する底部分の間の距離として厚さを規定した突出部分３０４を形成される。厚さは、第１２図において３０６で指定され、パネルの所望の絶縁又は「Ｒ」値に比例する。
【００５１】
第１３図
第１３図を参照すると、突出部分３０４の厚さ３０６は、突出部分が、部材１５０の内面の上方及び下方部分における第１及び第２複数のフック１９６と１９８の間に収容される如く形成される。スラブの残余の側部における突出部分は、隣接骨組部材における対応するフック部材の間に収容される。第１及び第２複数のフック１９６と１９８は、こうして、骨組に関してスラブを位置させるために役立つ。結果的に、フック１９６と１９８、及び他の骨組部材における同様のフックが、それぞれの骨組部材の縦軸の回りに対称的に位置し、絶縁スラブがパネルの側部１と２の間の中央に位置することを保証する。
【００５２】
第１４図
第１４図を参照すると、ターンバックル３１６が、凹部２８４に隣接したフック１９６へ連結される。単体の弾力的に伸張可能なケーブル３１８が、ターンバックル３１６へ連結され、骨組部材に対向した骨組部材１５５におけるフック１９６を通過して凹部２８４において経由される。それから、ケーブルは、凹部２８２に隣接して隣接フック１９６へ凹部２９０において経由され、さらに、骨組部材１５０におけるフック１９６へ凹部２８２において経由される。ケーブルは、パネルの第１隅部３２２に達するまで、骨組部材１５０と１５５の間に同様の方式で経由される。フック１９６のすべては、第１３図に最良に示された第１フック平面３０８にあるために、こうして経由された引張ケーブル３１８の部分もまた、第１フック平面３０８にあることが認められる。
【００５３】
第１５図
第１５図を参照すると、ケーブルが隅部３２２へ経由される時、ケーブルは、フック１９６から上方に第１シャンク部分２３２へ経由される。ここから、再び第１４図を参照すると、ケーブルは、対角凹部２９２における対角パスを通ってパネルの対角的に対向した第２隅部３２４へ経由される。隅部３２２における第１シャンク部分２３２と隅部３２４における対応する第１シャンク部分２３２は、第１５図に示された第５フック平面３４０にあるために、第１４図の対角凹部２９２におけるケーブルはまた、第５フック平面３４０にある。
【００５４】
再び第１４図を参照すると、ケーブルは、それから、第１フック平面３０８（第４図において不図示）にある隣接フック１９６へ隅部３２４において下方に経由され、対向した第３隅部３２６におけるフック１９６へ凹部２８６において配される。凹部２８６において伸びるケーブルの部分は、こうして、第１平面３０８にある。隅部３２６において、ケーブルは、第５フック平面３４０にある第１シャンク部分２３２へ上方に経由され、それから、対角的に対向した第４隅部３２８へ対角凹部２９４において対角的に配され、これにより、ケーブルは、第１シャンク部分２３２へ締結される。ケーブルのこの対角伸長部分はまた、第５フック平面３４０にある。
【００５５】
ケーブルに張力をかけるための締め付け及び引張手段として作用するターンバックル３１６は、それから、ケーブル３１８に約６００ｌｂｓの張力をかけるために締め付けられるが、張力は、パネルに課せられることを予期された特別の構造的荷重に合うように増減される。
【００５６】
ケーブルの締め付けと張力は、対向した骨組部材１５０と１５５を内方のパネルの内側部分２７０へ強制させる。ケーブルとターンバックルは、こうして、パネルの内側部分の方に、一般に骨組平面において、骨組部材の少なくとも幾つかを内方に強制させるための強制手段として作用する。
【００５７】
ケーブル３１８は、縦横の凹部内に縦横伸長部分を有し、対角凹部内に対角伸長部分を有することが認められる。第１５図を参照すると、縦横伸長部分は、第１平面（３０８）にあるが、対角伸長部分は、第２平面（３４０）にあり、第２平面は、第１平面から離間される。一般に、第１及び第２平面の間の間隔は、構造的荷重の増大とともに増大し、構造的荷重の減少とともに減少される。
【００５８】
スタイロフォームと引張ケーブルを設置する同様の手順は、パネルの第２内側部分２７２に対して順守される。
【００５９】
第１６図
第１６図を参照すると、針金網目３３０の第１層が、内側部分２７０内にはまるように切断され、第１、第２、第３及び第４縁３３２、３３４、３３６と３３８を有する。針金網目３３０は、従来の引張工具の使用により張力をかけられ、少なくとも２つの骨組部材の間でそれを締める。縁３３２、３３４、３３６と３３８は、骨組部材１５０、１５２、１５３と１５５の各々において第３平面３１０にあるチェアボルスタフック部分に連結される。
【００６０】
第１７図
第１７図を参照すると、針金網目３３０の第１層は、第３フック平面３１０にあり、残余の平面から離間される。すぐ隣接する第５フック平面３４０にある対角ケーブル部分は、網目のための支持物として作用することが認められる。固定用針金（不図示）は、続く段階中の網目の移動を防止するために、網目を対角ケーブルに連結するために使用される。
【００６１】
再び第１６図を参照すると、第２内側部分２７２はまた、第１内側部分と同様の針金網目材のそれ自体の第１層を含む。
【００６２】
さらに第１６図を参照すると、コンクリート木枠縁保持部材３４３が、骨組部材へ連結され、パネルの外周をさらに規定する。保持部材は、リベット、ねじ又は点溶接を用いて、骨組部材１５０、１５２、１５４と１５５へ連結される。それから、コンクリートは、網目３３０に注入され、スタイロフォームスラブにおける凹部を埋め、木枠縁保持部材３４３によって境界付けられる。
【００６３】
パネルの構成において使用されたコンクリートは、事実上任意の混合物である。混合物における石こう対砂利の比率は、パネルが使用される特定条件に合うように選択される。好ましくは、混合物は、地震活動又は砲火によりパネルへ伝えられたエネルギーを吸収する際に有益な湿気侵入と弾力可撓性性を防止するための能力を、合成コンクリートへ伝えるエポキシ樹脂の如く防水剤を含む。パネルがＰａｃｉｆｉｃ  Ｎｏｒｔｈｗｅｓｔにおいて使用された一つの実施態様において、セメント対砂対砂利対水対エポキシの比率は、１：２：４：１：０．０５である。
【００６４】
水及び任意の色のセメントと混合した大理石、花こう岩、結晶化砂のチップが、仕上げのために適切な良好な建築学的基部を生産するために、混合物において使用されることが認められる
第１８図
第１８図を参照すると、コンクリートは、網目を通過し、絶縁スラブの２７６の如く凹部に流入し、コンクリートは、引張ケーブル３１８の回りと網目３３０の第１層の回りに広がる。コンクリートは、こうして、一般に３４２で示された平面部分と、複数のリブ部分３４４を有する。リブ部分は、絶縁スラブの凹部によって規定された横、縦及び対角リブを形成するために、平面部分３４２から垂直に配設される。凹部は、実質的に対向骨組部材の間に配設されるために、コンクリートリブも同様である。凹部の幅は、パネルの全強度を高めるために拡幅され、そして底部分が拡幅されるならば、第１及び第２傾斜部分の傾きは、好ましくは低下される。効果的にも、凹部の形状は、断面面積及び断面形状において最適化され、パネルの強度を最適化し、所与の荷重に対する断面の中立軸の位置を最適化する。コンクリートリブは、荷重がパネルに加えられた時、正の補強として作用する引張ケーブルの部分を埋め込み、そして平面部分は、正の補強として同様に作用する網目の第１層を埋め込む。ケーブルの埋め込み部分と平面部分における網目を有する対角リブはまた、正の荷重がパネルの中央に加えられた時、骨組部材への動的及び静的応力を分散させるために作用する。ケーブルと網目の埋め込み部分は、負の補強として作用し、負の荷重がパネルの中央に加えられた時、動的及び静的応力を分散させる、
コンクリートは、骨組部材の間と、強制手段の回りで、骨組の内側部分において打込まれる第１凝固打込み可能な物質として作用し、凝固打込み可能な物質（コンクリート）に課せられた荷重は、強制手段によって骨組部材へ伝達される。
【００６５】
第１９図
第１９図を参照すると、パネルの側部２部分２０１は、側部１部分１９９と同様にして仕上げられ、側部１部分におけるものに類似する凹部を含み、第２ターンバックルと、第２垂直部分３４８を有する第２弾性拡張可能な引張ケーブルと、第２対角部分３５０とを含み、第２垂直部分は、第２平面３１２にあり、そして第２対角部分は、第６フック平面３４１にある。第２ケーブルは、第１３図のフック１９８と２３４の回りに、第１ケーブルと同様にして経由される。
【００６６】
側部２部分２０１は、さらに、第４フック平面３１４において針金網目材３４６の第２層を含む。側部２部分はまた、第２コンクリート保持縁３５８を有し、そしてコンクリート３６０は、網目材３４６の第２の上から第２弾性拡張可能なケーブル３４８と３５０の垂直及び対角部分の回りを絶縁材の第２側面において形成した凹部２８８へ注入される。第２側面におけるコンクリートは、こうして、側部１部分１９９におけるコンクリートと同様に、第２平面部分３６２と平面部分に垂直な複数のリブ３６４を有する。
【００６７】
側部１及び２部分におけるコンクリートは、パネルの据え付けに合うように所望の表面を有するように仕上げされる。側部１部分１９９は、家屋の一階を形成するために使用されるならば、それは、好ましくは、タイル、カーペット、テラゾ、大理石のチップ等の仕上げが留められるなめらかな表面で仕上げられる。設置された時、究極的に地面に面する側部２部分２０１は、なめらかに仕上げられる必要はないが、好ましくは、従来の防水化合物で被覆密封される。
【００６８】
第２０図
第２０図を参照すると、上記の段階により製造された完成した床パネルは、一般に３７０で示される。パネルは、パネルの周囲を形成する、それぞれ第１及び第２対向縦縁３７２と３７４と、それぞれ第１及び第２対向横縁３７６と３７８とを有する。これらの縁はまた、それぞれ、１７１、１７３、１７５と１７７で指定されたパネルの第１、第２、第３及び第４隅部を規定する。骨組部材１５０と１５５の各端部における平行部材１７０とフランジ１７２は、パネルの周囲から突出し、パネルを引き上げ、操縦し、パネルを基礎部材と壁パネルに連結するために使用される。
【００６９】
平行部材１７０とフランジ１７２は、隣接建築パネルの協働する連結手段にパネルを連結するための協働連結手段として作用する。平行部材とフランジは、板鋼から形成されるために、それらは、パネルに課せられた動的力を受けた時、弾性変形するように機能する。この弾性変形性のために、平行部材とフランジは、地震力を吸収するために機能し、隣接骨組部材への平行部材とフランジの硬直な連結により、残留する地震力は、骨組を通って隣接パネルの隣接骨組部材へ伝達される。
【００７０】
基礎への床パネルの連結
第２１図
第２１図を参照すると、床パネル３７０は、基礎部材と連結する位置にある。パネルは、第１横縁３７６が側部基礎部材４０に隣接し、そして第２縦縁３７４が端部基礎部材４２に隣接する如く位置付けられる。  基礎部材に床パネルを連結する前に、第１隅部連結フランジ３８０は、第１横縁３７６と第２縦縁３７４に隣接する平行部材１７０へ固着され、そして第２隅部連結フランジ３８２は、第２横縁３７８と第２縦縁３７４に隣接する平行部材１７０へ固着される。これらの隅部連結フランジは、溶接により締結される。家屋の外側に面するパネルの第２縦縁３７４のみが、隅部フランジを連結される。内側に面する第１縦縁は、そのような隅部フランジを有さない。
【００７１】
第１及び第２隅部連結フランジは、第２横縁に平行なそれぞれの平行フランジ部分３８４と３８６と、第２横縁に垂直な直角フランジ部分３８８と３９０を有する。
【００７２】
平行フランジ部分３８４と３８６は、それぞれのユーティリティ導管開口３９２と３９４と、それぞれの隣接ファスナー開口３９６と３９８を有する。ユーティリティ導管開口３９２と３９４は、ユーティリティ供給導管（不図示）を通過させる。ファスナー開口３９６と３９８は、パネルを基礎部材に締結するためのねじファスナーを収容する際に使用される。
【００７３】
基礎部材への床パネル３７０の設置は、フランジ１７２と平行フランジ部分３８４が、それぞれ、基礎連結フランジ７０と７２の頂部に直接に収容される如く、クレーン（不図示）を使用して、床パネルを位置付けることにより行われる。さらに、パネルは、パネルからつき出る残余のフランジが、下の対応する基礎部材における対応する基礎連結フランジの頂部に直接に配設される如く位置付けられる。
【００７４】
この位置において、フランジ１７２と３８４におけるユーティリティ供給導管開口は、基礎連結フランジ７０と７２における開口８２と軸整列し、こうして、基礎部材における鋼管の内部と連通する。同様に、ファスナー開口１７６と３９６は、基礎連結フランジ７０と７２における対応するねじ開口８４と軸整列する。パネルにおける他のフランジの他のファスナー開口はまた、対応する基礎連結フランジにおけるそれぞれのねじ開口と軸整列する。それから、ねじファスナーは、特に、床が、壁パネルが連結されていない家屋のデッキ部分であるならば、パネルを基礎部材に確実に締結するために、ねじ開口において使用される。しかし、壁パネルが連結されるならば、ねじファスナーは、この時点において設置されない。
【００７５】
上記の他の床パネルは、同様に、残余の基礎部材からつき出る残余のダクトフランジに連結される。家屋の第１床４００は、こうして、基礎部材に連結された複数の床パネル部材によって形成される。
【００７６】
こうして図面に描かれた実施態様において、単一床パネルの寸法は、８’×８’である。しかし、床パネルは、事実上任意のサイズであることが認められる。部分がそれぞれ４０２、４０４（内側）と４０６、４０８、４１０、４１２（外側）で示された内壁及び外壁パネルは、床パネル３７０のそれぞれの隅部から配設されたそれぞれの板１６８に連結される。
【００７７】
床パネル３７０は、８’×８’の大きさであるために、内壁及び外壁パネル４０２、４０４、４０６、４０８と４１２の設置は、少なくとも８’×１６’の寸法を有する第１部屋を規定し、内側パネルは第１床パネルの第１縦縁３７２に隣接して設置されない。代替的に、内側パネルは、この位置において設置され、この場合、８’×８’の寸法を有する部屋が、規定される。また、代替的に、部屋は、床パネル３７０の第３隅部１７５において板を切断し、内側パネル４０２の設置を省略することにより、床パネルの縦方向において大きくされる。
【００７８】
内側パネル４０２の設置の省略は、隣接パネルの隣接横側部の間の間げき４１４を残すが、そのような間げきは、なめらかな床表面を設けるために、シリコンの如くコンクリート又は水不浸透性シーラントで充てんされる。リノリウム又は敷物類等の多様な仕上げ材が、このなめらかな表面に置かれる。床パネルへの内側及び外側パネルの特定の連結を記載する前に、これらのパネルの各々が記載される。
【００７９】
外側パネル
第２２図
第２２図を参照すると、発明による外側パネルの作製が、４２０、４２２、４２４、４２６、４２８、４３０と４３２で示された如く、第１、第２、第３、第４、第５、第６及び第７の２”×４”中空鋼管部材を長さに切断することにより開始される。鋼管部材は、パネルのための骨組部材として作用し、窓開口４３４と第１、第２及び第３パネル部分４３６、４３８と４４０を設けるように配置される。
【００８０】
骨組部材４２０と４３２は、それぞれの対向端部分４４２、４４４と４４６、４４８を有する。端部分の各々は、同様であり、このため、端部分４４４のみが、記載されるが、各端部分を代表すると考えられる。
【００８１】
第２３図
第２３図を参照すると、骨組部材４２０の端部分４４４が、非常に詳細に示される。骨組部材４２０は、部材の中央に縦軸４５０を有する。部材の内面と外面は、それぞれ、一般に４５２と４５４で示され、内面は、第１パネル部分４３６の内側に向けられ、そして外面は、パネルから外側に向けられ、パネルの外周の部分を形成する。骨組部材４２０はまた、第２４図に最良に示された、側部１面４５６と側部２面４５８を有する。側部１面は、究極的に、家屋の内側に面し、そして側部２面は、究極的に、家屋の外側に面する。
【００８２】
第２３図、第２４図と第２５図
第２３図、第２４図と第２５図を参照すると、骨組部材４２０の端部分４４４が、横板４６０を固着している。板は、骨組部材の端部分を覆うためのカバー部分４６２を有し、パネルの内側部分への内向きリップ部分４６４を有する。カバー部分４６２は、骨組部材の中空内側部分４６８への接近を許容する開口４６６を有する。前述の床パネルと同様に、骨組部材の中空内側部分は、ユーティリティ供給導管を経由させる。
【００８３】
第２３図と第２４図を参照すると、端部分４４４は、さらに、側部１面４５６における第１横開口４７０と、側部２面における第２横開口４７２と、内面４５２における第３開口４７５と、それぞれ側部１面４５６と側部２面４５８の背後で溶接された第１及び第２ナット４７８と４８０によって設けられた第１及び第２ねじ開口４７４、４７６とを含む。  内面４５２は、取り付け部分４８４と伸長部分４８６を有する直角部材４８２を固着している。取り付け部分は、内面に溶接されるが、伸長部分４８６は、第１パネル部分４３６の内側の方に、内面に垂直に突出する。伸長部分は、側部１面４５６に隣接した第１フック平面４９２において配設されたフック部分４９０と、板４６０の方に縦軸４５０に平行に突出する突起ピン部分４９１とを有するフック４８８を固着している。
【００８４】
内面はまた、第７図において品目２０４と２１０として描かれたチェアボルスターフックと同様な複数のチェアボルスターフック４９４を固着している。第２２図を参照すると、チェアボルスターフック４９４は、骨組部材４２０に沿って縦に、離間関係において配設され、対向端部分４４２と４４４の間に位置する。再び第２４図と第２５図を参照すると、チェアボルスター骨組は、側部１面４５６と第１フック板４９２の間の第２フック板４９８において配設されたそれぞれのフック部分４９６を有する。
【００８５】
板４６０は、骨組部材を支持するため足部として作用し、開口４６６、４７０、４７２と４７５は、骨組部材の内側のユーティリティ供給導管への接近を設ける。ねじ開口４７４と４７６は、合成パネルを隣接パネルに固着するためであり、そして伸長部分４８６は、同一パネルの隣接骨組部材と協働するためである。フック４８８は、パネルを保持するための引張ケーブルと協働し、そしてチェアボルスターフック４９４は、第２フック平面において針金網目を保持する。
【００８６】
再び第２２図を参照すると、骨組部材４３２は、骨組部材４２０と同様であり、このため、さらには説明されない。しかし、骨組部材４２２と４２６は、骨組部材４２０と４３２とはわずかに異なり、このため、以下に記載される。
【００８７】
骨組部材４２２と４２６は、パネルの外周の上方及び下方部分を形成する。骨組部材４２２は、第１部分５００、第２部分５０２と第３部分５０４に分割される。骨組部材４２６は、同様に、第１部分５０６、第２部分５０８と第３部分５１０に分割される。
【００８８】
第１部分５００と５０６は、第１パネル部分４３６の一部を形成し、一方、第２部分５０２と５０８は、第２パネル部分４３８の部分を形成する。部材４２２の第３部分５０４は、窓開口４３４の回りの窓枠の部分を形成し、そして部材４２６の第３部分５１０は、第３パネル部分４４０の枠部分として作用する。窓開口４３４に隣接した部材４２２の第３部分５０４を除いて、上記の各部分は、５１２で示されたそれぞれの複数のチェアボルスターフックと、５１４で示された複数の引張ケーブルフックとを有する。
【００８９】
第２６図
第２６図を参照すると、チェアボルスターフック５１２は、各々、第２平面４９８にあるそれぞれのフック部分５１３を有する。さらに、引張ケーブルフック５１４は、第３フック平面５１７にあるそれぞれのフック部分５１５を有する。第３平面５１７は、それぞれ、第１及び第２平面４９２と４９８に平行であり、それらから離間される。
【００９０】
再び第２２図を参照すると、外側パネルは、さらに、骨組部材４２２、４２４、４２６と４３２の中間に配設された骨組部材４２４、４２８と４３０を含む。骨組部材４２４と４３０は、同様であり、相互の鏡像と、このため、部材４２４のみが記載される。
【００９１】
骨組部材４２４は、骨組部材４２２と４２６の間に配設される。部材４２４は、縦軸５１９、及び第１端部分と第２端部分５２０、５２２を有する。第１端部分５２０は、第２４図に示されたフック４８８と同様なフック５２４を有する。フック５２４は、第２４図に示されたフック４８８と同一の第１フック平面４９２にあるフック部分５２６を有する。再び第２２図を参照すると、フック５２４はまた、縦軸５１９に平行で、部材の端部分５２０を通過して突出する突起ピン部分５２８を有する。  骨組部材４２４の第２端部分５２２は、端部分の対向側に配設されたフック５２４と同様な第１及び第２フック５３０と５３２を有する。これらの各フックはまた、第１フック平面４９２（第２２図において不図示）にあるそれぞれのフック部分５３４と５３６を有し、端部分５２２を通過して突出するそれぞれの突出部分５３８と５４０を有する。
【００９２】
直角部材５４２は、骨組部材４２４の側部へ固着される。直角部材は、第３パネル部分４４０へ内方に突出する突出部分５４６を有する。突出部分５５０とフック部分５５２を有するさらに他のフック５４８は、突出部分に固着される。突出部分５５０は、窓開口４３４へ向かって縦軸５１９に平行に配設される。フック部分５５２は、第３パネル部分４４０の方へ配され、第１フック平面４９２（第２２図において不図示）にある。
【００９３】
骨組部材４２４は、第１及び第２端部分５２０と５２２の間に配設された第１中間部分５５４と、直角部材５４２と第２端部分５２２の間に配設された第２中間部分５５６を有する。第１中間部分は、複数のチェアボルスターフック５５８を、その長さに沿って離間関係において固着している。同様に、第２中間部分５５６は、第２複数のチェアボルスターフック５６０を有する。第１及び第２複数のチェアボルスターフックは、第２フック平面４９８（第２２図において不図示）において配設されたフック部分を有する。
【００９４】
骨組部材４２８は、骨組部材４２４と４３０の間に配設され、第２６図に最良に見られる第３フック平面５１７にあるフック部分（不図示）を有する複数のフック５６２を有する。さらに、第２２図と第２６図のほかに、骨組部材４２８は、第２フック平面４９８にあるフック部分を有する複数のチェアボルスターフック５６４を有する。骨組部材４２８はまた、隣接骨組部材４２４と４３０の突起ピン部分５５０を収容するために、５６６と５６８において示された開口を有する。さらに、骨組部材４２２と４２６は、それぞれ、骨組部材４２０、４２４、４３０と５３２の突起ピン部分４９１、５２８、５３８、５４０、５３２と５３０を収容するためのそれぞれの開口５７０を有する。
【００９５】
第２７図
第２７図を参照すると、骨組部材が連結される前に、針金網目のシートは、外側パネルの最終形状に対応する「Ｕ」形状に切断される。蒸気障壁５７４も、同様に形状に切断され、網目材５７２の頂部に置かれる。第１、第２及び第３パネル部分５７８、５８０、５８２を有するスタイロフォームスラブ５７６は、蒸気障壁５７４の頂部に敷設される。第１、第２及び第３パネル部分５７８、５８０と５８２は、同様であり、このため、パネル部分５７８のみが記載される。
【００９６】
パネル部分５７８は、それぞれ、複数の縦凹部５８３と、複数の対角凹部５８４と５８６を含む。パネル部分はまた、以下にさらに記載される如く、それぞれ、骨組部材４２０と４２４を収容するために陥凹にされた縦縁部分５８８と５９０を有する。
【００９７】
パネル部分５８０と５８２は、同様の構成を有し、それぞれ、複数の縦凹部５９２と複数の対角凹部５９４、５９６を含む。
【００９８】
第２８図
第２８図を参照すると、骨組部材４２０、４２２、４２４、４２６、４２８、４３０と４３２は、スタイロフォームスラブ５７６の対応する凹部に置かれる。骨組部材の各々におけるそれぞれの突出部分４９１、５３８と５４０は、骨組部材４２６における対応開口５７０において収容される。それから、骨組部材４２８は、骨組部材４２４と４３０の間に設置され、突出部分５５０は、それぞれ、部材４２８の対向端部分における開口５６６と５６８において収容される。最後に、部材４２２は、それぞれの骨組部材の突出部分５２８と突出部分４９１が、骨組部材４２２における対応する開口５７０において収容される如く、骨組部材４２０、４２４、４３０と４３２に隣接して置かれる。このため、この点において、骨組は、緩く連結され、図面シートの平面に平行な平坦な骨組平面にある。
【００９９】
作製プロセスのこの時点において、凹部５９８は、電線管６００を収容するための第２パネル部分５８０の中央部分へ縦方向に切断される。電線管は、電気箱６１０によって骨組部材４２６へ連結され、標準壁ソケットカバーを収容するために機能する第２電気箱６１２において終端される。電線管６００は、骨組部材４２６の中空内側部分と連通し、このため、骨組部材４２６に配設された電気供給導体は、電線管６００を介して電気箱６１２へ経由され、従来の壁ソケット（不図示）へ電気供給する。
【０１００】
第２９図
第２９図を参照すると、第１、第２及び第３引張ケーブル６１４、６１６と６１８は、それぞれのパネル部分の縦凹部と対角凹部において経由される。分離ターンバックル６２０、６２２と６２４は、それぞれの引張ケーブル６１４、６１６と６１８に張力をかけるために使用される。引張ケーブル６１４は、ケーブルの部分が対角凹部にあり、ケーブルの部分が縦及び横凹部にある如く、第１パネル部分４３６においてフック５３０、５２６、４８８、５１４の間に経由される。第２及び第３ケーブル６１６と６１８は、同様にして経由される。
【０１０１】
再び第２６図を参照すると、縦凹部５８３と５９２における引張ケーブルの部分が、それぞれ、第３フック平面５１７において伸びるが、対角凹部５８６と５９６における引張ケーブルは、第１フック平面４９２にある。再び第２９図を参照すると、第１、第２及び第３引張ケーブル６１４、６１６と６１８は、パネルの内側部分の方へ、一般に骨組平面において内方に骨組部材を強制させるための強制手段として作用する。  ５７２と５７４（第２７図）で示された網目材の縁部分は、第２９図において一般に６２６で示された如く、隣接骨組部材の上に曲げられる。縁部分は、隣接骨組部材におけるチェアボルスターフック４９４、５１２と５６２へフックで留められる。
【０１０２】
第３０図
第３０図を参照すると、可撓性網目材の第１、第２及び第３個別矩形片６２８、６３０と６３２が、それぞれの第１、第２及び第３部分５７８、５８０と５８２に適合するように切断され、そのような部分の上に置かれる。可撓性網目材の断片のそれぞれの部分の縁部分は、それぞれの隣接骨組部材におけるチェアボルスターフックの隣接フック部分へフックで留められる。再び第２６図を参照すると、５１３で示された如くこれらのフック部分は、第２フック平面４９８にあり、こうして、網目材はまた、第２フック平面４９８にある。
【０１０３】
再び第３０図を参照すると、コンクリート保持縁６３４は、その後、それぞれ第１、第２及び第３パネル部分の境界付けるそれぞれの骨組部材へ溶接される。上記のコンクリート混合物は、それから、コンクリートが網目を通って流れ、各パネル部分の縦及び対角凹部に流入する如く、網目材６２８、６３０と６３２の上に注入される。コンクリートは注入され、コンクリートの保持縁６３４と同一平面で終了される。コンクリートは、こうして、第３０図の図面ページの平面に平行な仕上げ平坦面（不図示）を有する。
【０１０４】
第３１図
第３１図を参照すると、パネルは、その後、第３０図に描かれた定位に関して反転され、これにより、スタッコ６３６の層が、それぞれ、第１、第２及び第３パネル部分４３６、４３８と４４０を覆う針金網目５７２に付着される。パネルの製造は、こうして完了される。
【０１０５】
それから、窓６３８が、窓開口４３４において設置される。代替的に、窓６３８は、パネルが組み立てられ家屋を形成した後、設置される。
【０１０６】
仕上げ外側パネルは、それぞれ、第１、第２、第３及び第４パネル連結部分６４２、６４６、６４８と６５０を有する一般矩形部分６４０を含む。第２３図を参照すると、連結部分は、縦骨組部材４２０と４３２の対応する端部分の部分である。
【０１０７】
第３２図
第３２図を参照すると、縦凹部５８３において伸びる引張ケーブル６１６の部分が第３平面５１７にあり、対角凹部にある引張ケーブルの部分は、第１平面４９２にあり、一方、網目６３０は、第２平面４９８にあることが見られる。平面４９２、４９８と５１７の各々は、平行であり、相互に離間される。
【０１０８】
さらに、コンクリートは、網目６３０と引張ケーブル６１６の対角部分が配設された平面部分６６０を有する。６６２で示された如くリブ部分は、スタイロフォームスラブ５７６の縦凹部と対角凹部において、平面部分６６０に垂直である。これは、床パネルに関して記載されたものと同様であり、こうして、外壁パネルは、正負の荷重に耐える能力を含む床パネルの同一利点を有する。
【０１０９】
内側パネル
第３３図
第３３図を参照すると、発明による内側パネルの作製が、第１、第２、第３及び第４パネル骨組部材６７０、６７２、６７４と６７６と、第１、第２、第３及び第４ドア骨組部材６７８、６８０、６８２と６８４を長さに切断することにより開始される。
【０１１０】
パネル骨組部材６７０と６７２は同様であり、パネルの縦縁部分を形成する。パネル骨組部材６７４と６７６は同様であり、パネルの横縁部分を形成する。
【０１１１】
骨組部材６７０と６７２は、それぞれ、第１及び第２の同様の端部分６８６と６８８を有する。端部分６８６は、各端部分を表現し、このため、記載されるが、残余の端部分は同様であることが理解される。
【０１１２】
第３４図
第３４図を参照すると、端部分６８６は、部材の中央に縦軸６９０を有する。端部分は、それぞれ、６９２と６９４で一般に指定された内面と外面を有する。内面６９２は、パネル部分の方に向けられ、そして外面は、パネルから外側に向けられ、パネルの外周の部分を形成する。
【０１１３】
第３５図
第３５図を参照すると、端部分はまた、側部１面６９６と側部２面６９８を有する。側部１面は、究極的に、家屋の第１部屋の内側に面し、そして側部２面は、究極的に、家屋の第２隣接部屋の内側に面する。
【０１１４】
端部分６８６は、第２３図、第２４図と第２５図に示された端部分４４４と同様である。これに関して、第３５図を参照すると、端部分は、それぞれ、開口４７０、４７２と４７５と同様な開口７００、７０２と７０３を有する。端部分はまた、第２４図のねじ開口４７４と４７６に対応する第１及び第２ねじ開口７０４と７０６を有する。
【０１１５】
端部分６８６はまた、端部分６８６を覆い突出部分７０９を有する端板７０８を有することにおいて、第２３図、第２４図と第２５図に描かれた端部分と同様である。面６９２は、直角部材７１０を固着している。直角部材は、連結部分７１２と突出部分７１４を有する。第３５図を参照すると、連結部分７１２と突出部分７１４は、面６９６と６９８の間に部材の全幅にわたる。第１及び第２フック部材７１６と７１８は、平行な離間関係において突出部分７１４に連結される。第１フック部材７１６は、第１フック平面７２２にある第１フック部分７２０を有する。同様に、第２フック７１８は、第２フック平面７２４にあるフック部分７２３を有する。さらに、フック７１６は、突起ピン部分７２６を有し、突起ピン部分は、第１フック平面７２２に平行な方向において突出する。同様に、第２フック７１８は、突起ピン部分７２６に平行で、かつ第２フック平面７２４に平行である突出部分７２８を有する。
【０１１６】
骨組部材は、さらに、骨組部材を横切って配設された複数のチェアボルスターフック７３０を含む。チェアボルスターフックは、各々、それぞれ、第１及び第２フック部分７３２と７３４を有する。第１フック部分は、第３フック平面にあり、一方、第２フック部分７３４は、第４フック平面７３８にある。第１、第２、第３及び第４フック平面７２２、７２４、７３６と７３８は、平行であり、相互に関して離間される。
【０１１７】
再び第３３図を参照すると、骨組部材６７６と６７４は、それぞれの対向端部分７４０と７４２を有する。端部分７４０と７４２は同様であり、このため、端部分７４０のみが記載されるが、端部分７４２は同様であることが理解される。
【０１１８】
第３６図
第３６図を参照すると、端部分７４０は、第３５図に示されたフック７１６と７１８のピン部分７２６と７２８を収容するための第１及び第２開口７４４と７４６を有する。再び第３６図を参照すると、端部分７４０は、さらに、骨組部材を横断する板７４８を含み、板は、従属した第１及び第２直立骨組部分を有する。
【０１１９】
第３７図
第３７図を参照すると、第１及び第２フック７５０と７５２は、それぞれ、第３及び第４平行離間平面７５８と７６０にあるそれぞれのフック部分７５４と７５６を有する。
【０１２０】
再び第３６図を参照すると、骨組部材は、さらに、第１及び第２フック部分７６４と７６６を有する複数のチェアボルスターフック７６２を含む。フック部分７６４は、第５フック平面７６８にあり、一方、第２フック部分は、第６フック平面７７０にある。
【０１２１】
第３８図
第３８図を参照すると、端部分６８６と７４０は、全体を７７２で示された如く連結される。ピン部分７２６と７２８（不図示）は、端部分７４０が直角部材７１０の突出部分７１４に載置する如く、それぞれ、開口７４４と７４６（不図示）において収容される。このため、フック７２０と７５２は、相互に平行、かつ隣接して配設される。
【０１２２】
第３９図
第３９図を参照すると、スタイロフォームスラブ７７４は、骨組部材６７０、６７２、６７４と６７６によって境界付けられた領域内に挿入される。スタイロフォームスラブは、複数の縦凹部７７６、７７８、７８０、７８２、７８４、７８６と７８８、第１及び第２対角凹部７９０と７９２、及び横凹部７９４と７９６を有する。ターンバックル７９８は、骨組部材６７６におけるフック７５２に連結される。弾性拡張可能な可撓性引張ケーブル８００は、ターンバックルに固着され、凹部７８６、７９４、７８４、７９６、７８２、７９４、７８０、７９６、７７８、７９４と７７６において経由される。ケーブルは、それから、骨組部材６７０におけるフック部分７２０へ経由され、それから、パネルの対角的に対向した隅部において、骨組部材における対応するフック部分７２０へ対角凹部７９０において経由される。ケーブルは、それから、骨組部材６７４におけるフック７５２へ経由され、骨組部材６７６における対応するフック７５２へ凹部７８８においてパネルを縦に経由される。それから、ケーブルは、フック７５２にすぐ隣接した部材６７２におけるフック部分７２０へ経由され、パネルの対角的に対向した隅部において、部材６７０におけるフック部分７２０へ対角凹部７９２において経由される。ターンバックル７９８は、骨組部材６７０、６７２、６７４と６７６が、パネルの内側部分へ内方に引かれる如く、ケーブルを張力を課すために締められる。骨組部材６７８、６８０、６８２と６８４は、ドア開口８０２を形成するために溶着され、部材６７８は、骨組部材６７２に縦に溶接される。第２絶縁スラブ８０４は、部材６７、６８０、６８２と６８４の間に挿入される。
【０１２３】
第４０図
第４０図を参照すると、針金網目８０６の第１層は、骨組部材６７０、６７２、６７４と６７６の間に置かれる。網目材８０６の縁部分は、骨組部材６７０と６７２におけるチェアボルスターフック７３０の第１フック部分７３２に締結され、部材６７４と６７６のチェアボルスターフック７６２の第２フック部分７６６へ連結される。針金網目は、こうして、骨組部材へ固着される。針金網目８０８の第２層は、それぞれ、骨組部材６７８、６８０、６８２と６８４へ連結される。それから、コンクリート保持縁８１０は、骨組部材６７０、６７２、６７４と６７６へ連結され、パネルの外周を形成する。同様に、第２コンクリート保持縁８１０は、ドア開口８０２の上に第２保持縁を形成するために、骨組部材６７８、６８０、６８２と６８４に連結される。
【０１２４】
第４１図
第４１図を参照すると、上記のコンクリート混合物は、網目材８０６と８０８の第１及び第２層の上に注入され、それぞれ、全体を８１４と８１６で示されたなめらかな表面を形成するために仕上げられる。コンクリートを注入した後、パネルは、下記の如く、パネルを隣接パネルと床及び天井パネルに連結するために、骨組部材６７０と６７２（不図示）のそれぞれの端部分に対応する第１、第２、第３及び第４連結部材８１８、８２０、８２２と８２４を有する。さらに、これらの部材８１８〜８２４は、作業地点においてパネルを引き上げて取り扱うために使用される。
【０１２５】
それから、パネルは、第４１図に示された定位に関して反転され、これにより、パネルの側部２部分は、側部１部分と同様にして完成される。このため、効果的に、側部１部分を形成する際の上記の段階が、側部２部分を形成する際に反復される。
【０１２６】
第４２図
第４２図を参照すると、発明による完成した内側パネルの断面が、一般に８２６で示される。仕上げパネルは、こうして、パネルの側部１部分８２８において針金網目８０６を含み、パネルの側部２部分８３２に隣接してさらに他の針金網目８３０を含む。網目８０６は、第６平面７７０にあるが、網目部分８３０は、第５平面７６８にある。前記の如く、第５及び第６平面７６８と７７０は、平行であり、相互に離間され、このため、針金網目部分８０６と８３０もまた平行で、離間される。
【０１２７】
パネルの各側に注入されたコンクリートは、それぞれ平面部分８３４と８３５とそれぞれのリブ部分８３６と８３７を含み、リブ部分は、スタイロフォームスラブ７７４の７７８で示された陥凹部分へ流入するコンクリートによって形成される。平面部分８３４と８３５は、それぞれ、網目材８０６と８３０の回りに配設される。さらに、平面部分は、側部１部分８２８に付随した可撓性ケーブルの対角部分８３８と８４０の回りに配設され、そして側部２部分８３２におけるコンクリートの平面部分は、側部２部分８３２における可撓性ケーブルの対角部分８４０の回りに配設される。同様に、リブ部分８３６は、側部１部分８２８に対して８４２と側部２部分８３２に対して８４６において示された可撓性ケーブルの縦部分の回りに配設される。ケーブル８３８の対角部分は、第２平面７２４にあるが、ケーブル８４２の縦部分と横部分は、第４平面７６０にあることは明らかである。第２平面と第４平面７２４と７６０は、平行で、相互に離間される。
【０１２８】
記載された方法において、即ち、離間平面において対角部分と縦及び横部分を使用して、可撓性ケーブルを経由させることにより、パネルは、正負の動的荷重に耐える能力を与えられる。
【０１２９】
屋根パネル
第４３図
第４３図を参照すると、発明による屋根パネルの作製が、第１、第２、第３、第４及び第５パネル骨組部材８５０、８５２、８５３、８５４と８５６を長さに切断することにより開始される。骨組部材８５０と８５２は同様であり、そして骨組部材８５４と８５６は同様である。すべての骨組部材は、鋼管から形成されるが、所望の荷重を耐えるように機能する一般に任意の合金から形成される。
【０１３０】
骨組部材８５０は、第１端部分８６０と第２端部分８６２を有する。骨組部材はまた、一般に８６４で示された主要屋根部分と、一般に８６６で示された張出し部分を有する。主要屋根部分８６４と張出し部分８６６は、連結部分８６８によって分離される。主要屋根部分は、張力をかけられた弾力的な可撓性ケーブルを骨組部材に固着させるための複数のフック８７０と、下記の如く針金網目を固着するための複数のチェアボルスターフック８７２とを有する。張出し部分はまた、複数の引張ケーブルフック８７４と、同様の目的のためのチェアボルスターフック８７６を有する。骨組部材８５２は骨組部材８５０と同様であるために、骨組部材８５２はまた、同様のチェアボルスターフックと主要屋根部分、連結部分と張出し部分を含み、このため、これらの構成部品は、部材８５０における対応する構成部品と同一の番号でラベル付けされる。
【０１３１】
骨組部材８５４はまた、第１及び第２の対向した端部分８７８と８８０を有し、複数のチェアボルスターフック８８４を備えた一般に８８２で指定された中間部分を有する。骨組部材８５６は、骨組部材８５４と同様であり、同様の構成部品を有する。同様の構成部品は、骨組部材８５４において指示されたものと同一の参照番号でラベル付けされる。骨組部材８５８はまた、第１及び第２の対向した端部分８８６と８８８を有し、屋根側８９２と張出し側８９４を具える中間部分８９０を有する。屋根側８９２は、複数のチェアボルスターフック８９６を取り付け、そして張出し側は、複数のチェアボルスターフック８９８を取り付ける。  
【０１３２】
第４４図と第４５図
第４４図と第４５図を参照すると、骨組部材８５０の端部分８６０が示される。第４４図を参照すると、骨組部材８５０は、外面９００と内面９０２を有する。第４５図を参照すると、骨組部材は、屋根側９０４と天井側９０６を有する。端部分８６０は、垂直に関する屋根の傾斜を決定する角度９０８において切断される。端部分８６０は、縦部材８５０のカット面９１０へ溶接により締結された端板９１２を含む。端板９１２は、屋根側９０４と同一平面にあり、天井側９０６を通過している連結部分９１４を有する。連結部分９１４は、ボルトの如くコネクタを収容するための開口９１６を有する。
【０１３３】
端部分は、さらに、伸長部分９２０を有する平坦な水平板９１８と、平坦な連結部分９２２とを含む。平坦な連結部分９２２は、端部分８６０の外面９００に固着される。平坦板は、板９１２に直角の軸９２４を有する。連結板９２６は、さらに、伸長部分９２０と板９１２に直角に配設される如く、伸長部分９２０と板９１２に連結される。連結板は、ボルトの如くコネクタを収容するための貫通する開口９２８を有する。  端部分は、さらに、内面９０２に固着されたフック板９３０を含む。第１フック平面９３６においてフック部分９３４を配設したフック９３２は、チェアボルスターフック８７２にすぐ隣接して配設される。フック９３２は、第４３図に示されたフック８７０に対応する。
【０１３４】
端部分は、さらに、面９０２において一対の横に離間した開口を含み、開口は、９３８と９４０でそれぞれ指定される。開口９３８は、天井側９０６に隣接して配設されるが、開口９４０は、屋根側９０４に隣接して配設される。
【０１３５】
第４６図と第４７図
第４６図と第４７図を参照すると、連結部分８６８が、非常に詳細に示される。連結部分８６８は、屋根部分８６４と張出し部分８６８における複数のチェアボルスターフックの間に配設した開空間９４２を含む。開空間は、第４３図に示された骨組部材８５８の端部分８８６においてピンを収容するために、横及び縦に離間した開口９４４、９４６、９４８と９５０を含む。再び第４７図を参照すると、開口９４４と９５０にすぐ隣接し、天井側９０６に隣接して、板９５２が、天井側９０６に固着される。傾斜部分９５４は、板９５２に連結される。傾斜部分９５４は、４”×４”の鋼管の部分を含む。伸長部分９５４は、第４５図の角度９０８と同一の角度９５６において配設される。伸長部分９５４は、伸長部分９５４の端部分を覆うために端板９５８を固着している。伸長部分９５４は、さらに、ファスナーを収容するための第１及び第２ねじ開口９６０と９６２を含む。
【０１３６】
第４８図と第４９図
第４８図と第４９図を参照すると、骨組部材８５４の端部分８７８が、非常に詳細に示される。端部分は、９６４で指定された屋根表面、内面９６６、外面９６８、及び天井表面９７０を含む。第４９図を参照すると、端部分８７８は、連結部分９７４と突出部分９７６を具える横山形材９７２を有し、突出部分９７６は、内面９６６へ直角で突出する。ピン９７８は、屋根表面９６４に隣接した突出部分９７６へ固着される。ピン部分９８２とフック部分９８４を有するフック９８０はまた、ピン９７８へ平行離間関係において突出部分９７６へ連結される。ピン９７８とピン部分９８２は、部材８５４の縦軸９８６に平行である。パネルを連結する際に、ピン９７８とピン部分９８２は、第４５図に示された如く、それぞれ、開口９４０と９３８において収容される。
【０１３７】
第５０図
第５０図を参照すると、針金網目材９８８のシートが平坦に敷設され、仕上げ屋根パネルの近似的サイズに切断される。タール用紙の如く膜がまた、サイズに切断され、針金網目９８８の上に敷設される。屋根部分９９４と張出し部分９９６を有する第１スタイロフォームスラブ９９２は、タール用紙９９０の上に敷設される。スタイロフォームスラブは、その縁に沿った縦凹部９９８と１０００と、複数の横凹部１００２、１００４、１００６、１００８、１０１０、１０１２と１０１４を有する。さらに、スタイロフォームスラブは、第１及び第２の対角凹部１０１６と１０１８を有し、第３及び第４対角凹部１０２０と１０２２を有する。対角凹部１０１８と１０１６は、屋根部分９９４の対角的に対向した隅部の間に配設される。対角凹部１０２０と１０２２は、張出し部分９９６の対角的に対向した隅部の間に配設される。
【０１３８】
スタイロフォームスラブ９９２は、さらに、骨組部材８５０、８５２、８５４、８５６と８５８が収容される骨組保持凹部（不図示）を有する。骨組部材が凹部に置かれる時、第４９図に描かれたピン９７８とピン部分９８２は、第４５図に描かれた開口９４０と９３８において収容される。同様に、第５０図における骨組部材８５８における突起ピンは、第４７図において、それぞれ、開口９４４、９４６、９４８と９５０において収容され、そして骨組部材８５６における突起ピンは、端部分８６２の対応する開口（不図示）において収容される。
【０１３９】
第５１図
第５１図を参照すると、ターンバックル１０２４は、フック８７０の一つに連結される。弾力的に拡張可能な引張ケーブル１０２６が、ターンバックル１０２４に固着され、ケーブルが、第１及び第２縦凹部と横凹部の各々にある複数の部分を有する如く、骨組部材８５０と８５２におけるフック８７０の間に経由される。さらに、ケーブルは、対角凹部１０１６と１０１８において伸びる部分１０３０と１０３２を有する。  同様に、張出し部分は、フック８７２にターンバックル１０３４に連結させ、そして弾力的に拡張可能な可撓性ケーブル１０３６が、ターンバックル１０３４に締結される。ケーブル１０３６は、横及び縦凹部にある部分１０３８と、それぞれ対角凹部１０２０と１０２２にある部分１０４０と１０４２を有する如く、それぞれ、骨組部材８５２と８５０におけるフック８７２と８７４の間に経由される。
【０１４０】
ケーブルを締結することにより、タール用紙９９０と針金網目材９８８の縁部分が、それぞれ隣接骨組部材８５４、８５６、８５０と８５２の上に曲げられる。
【０１４１】
第５２図
第５２図を参照すると、パネルは、さらに、それぞれ網目材部分１０４４と１０４６の第１及び第２部分を含む。第１部分１０４４は、骨組部材８５０と８５２におけるそれぞれのチェアボルスターフック８７２の間と、骨組部材８５４と８５８におけるチェアボルスターフック８８４と８９６の間に適合するように切断される。網目材１０４６の第２層は、骨組部材８５０と８５２の張出し部分８６６におけるチェアボルスターフック８７６の間に配設されるように切断される。さらに、第２針金網目は、それぞれ、骨組部材８５８と８５６におけるチェアボルスターフック８９８と８８４の間に配設される。屋根部分と張出し部分の両方を具備するパネルの全周にわたるコンクリート保持縁１０４８は、それぞれの周囲骨組部材８５４、８５６、８５０と８５２に固着される。  上記のコンクリート混合物は、それから、コンクリートが網目材部分１０４４を通って、スタイロフォームスラブの屋根及び張出し部分における横、縦及び対角凹部へ流入する如く、網目材部分１０４４と１０４６の上に注入される。屋根パネルの天井側は、こうして完了される。
【０１４２】
それから、パネルは、第５２図において描かれた定位に関して反転され、そしてコンクリートが、屋根表面（不図示）を形成するために、針金網目（９９９、不図示）の上に注入される。
【０１４３】
第５３図
第５３図を参照すると、屋根パネルの部分が、断面で示され、天井側１０５０と屋根側１０５２を含む。天井側は、パネルの全幅及び全長にわたる平面部分１０５６を有するコンクリートを含み、凹部１００２における平面部分に垂直なリブ部分１０５４を有する。スタイロフォームスラブにおける残余の凹部はまた、同様のリブ部分を有する。網目材部分１０４４は、第１平面１０５８内に配設されるが、可撓性ケーブルの対角部分は、第２平面１０６０において配設される。ケーブル１０２６の縦及び横部分は、第３平面１０６２においてある。第１、第２及び第３平面は、平行であり、相互に離間される。第３平面１０６２にあるケーブル１０２６は、こうして、第２平面１０６０にあるケーブル部分１０３２から離間される。これは、パネルの正負の補強を設ける。外側網目９９９は、第４平面１０６４にある。１０６６で示された如く、コンクリートは、パネルの屋根表面を形成し、スタイロフォームスラブ９９２において形成された最小外側凹部１０６８内に埋め込まれる。
【０１４４】
第５４図
第５４図を参照すると、発明による仕上げパネルは、一般に１０７０において示される。仕上げパネルは、天井表面１０７２と、第１及び第２ピーク連結部分１０７４と１０７６と、第１及び第２壁連結部分１０７８と１０８０と、第１及び第２ガッタ連結部分１０８２と１０８４を含む。第１及び第２ピーク連結部分１０７４と１０７６は、パネルを隣接パネルに連結し、家屋の屋根のピークを形成する。第２ピーク連結部分１０７４と１０７６は、骨組部材８５０と８５２の端部分８６０に対応する。同様に、壁連結部分１０７８と１０８０は、第４６図と第４７図において描かれ、第４３図において８６８で示された連結部分に対応する。
【０１４５】
パネルの連結
再び第２１図を参照すると、第３１図に示された如く２つの外側パネルが、一般に４０６と４０８において示される。パネル４０６の第３及び第４突出部分６４６と６４８は、それぞれ、フランジ３８２と３８０との掛合のために下方に突出する。パネル４０８の第３及び第４突出部分は、フランジ１７２との掛合のために下方に突出する。
【０１４６】
フランジへの外側パネルの連結を容易にするために、１０９０と１０９２で示されたＷ形状及びＴ形状コネクタが、それぞれ、使用される。Ｗ形状コネクタ１０９０は、外側パネルに突き合わすことにより形成された隅部において使用されるが、Ｔ形状コネクタ１０９２は、位置合わせされた隣接外側パネルを連結するために使用される。
【０１４７】
Ｗ形状コネクタは、第１及び第２平坦部分１０９４と１０９６、及び１０９８で一般に示されたＷ形状壁部分を含む。平坦部分１０９４と１０９６は、それぞれの導管開口１１００と１１０２と、それぞれのねじ開口１１０４と１１０６を有する。壁部分は、それぞれ、開口１１０８と１１１０を有する。
【０１４８】
同様に、Ｔ形状コネクタは、第１及び第２平坦部分１１１２と１１１４、及び特性Ｔ形状の直立壁部分１１１６を有する。平坦部分の各々は、それぞれの導管開口１１１８と１１２０と、それぞれの連結開口１１２２と１１２４を有する。さらに、壁部分１１１６は、それぞれ、第１及び第２平坦部分１１１２と１１１４に隣接した第１及び第２開口１１２６と１１２８を有する。
【０１４９】
外側パネルは、最初にＷ形状コネクタとＴ形状コネクタを隅部と側部にそれぞれ連結することにより床パネル３７０へ連結される。パネル４０６と４０８は、位置に据えられ、これにより、パネル４０６の連結部分６４６と６４８は、それぞれ、平坦部分１１１４と１０９４の上に置かれる。同様に、パネル４０８の連結部分６４６と６４８は、それぞれ、平坦部分１０９６と１１１２の上に置かれる。
【０１５０】
具体的にパネル４０８を参照すると、連結部分６４６における開口４７４は、それぞれ、開口１１１０と１１２６と整列する。開口４７４がねじ付きであるために、ボルトが、開口１１１０を通って単に挿入され、そして第２ボルトは、開口１１２６を通って挿入され、それぞれ、パネルの対向端部分における開口４７４と螺合される。パネルは、こうして、Ｗ形状及びＴ形状コネクタへ固着される。
【０１５１】
隅部の場合に、床パネル３７０の直立板１６８は、パネル４０８の連結部分６４６の対向側における対応する開口（４７６、第２１図において不図示）と掛合する開口１８２を有する。ボルトは、開口１８２を通って収容され、連結部分６４６の対向側における開口（４７６）と螺合される。パネル４０８の対向端部分は、同様にして隅部１７１へ固着される。パネル４０６は、同様にして隅部１７７と１７３に固着される。外側パネルは、こうして、床パネルと基礎へ連結される。
【０１５２】
内側パネルの連結
内側パネルは、外側パネルが連結されると同様な方法で床パネルに連結される。第４１図に最良に示された内側パネルは、それぞれ下方に突出する連結部分８２０と８２４を有する。下方に突出する連結部分８２０と８２４の各々は、それぞれのねじ開口７０４を有する。対応する開口７０６（不図示）は、第３５図に示された如く、突出部分の対向側において利用可能である。
【０１５３】
再び第２１図を参照すると、内側パネルを設置するために、突出部分８２０と８２４は、隣接床パネルのそれぞれの板１６８の間に形成したレセプタクル１１３０と１１３２に置かれる。板の各々は、内側パネルが適正に据えられた時、開口７０４（及び７０６）と整列されたそれぞれの開口１８２を有する。ボルトの如くねじファスナーは、開口１８２を通って挿入され、開口７０４と７０６とそれぞれ螺合され、内側パネルを床パネルに固着する。同様の手順は、他の内側パネルを床パネルに固着するために行われる。
【０１５４】
下方に突出する連結部分８２０と８２４は、基礎部材から個別内側パネルへ導管を経由するために、第３４図において７００、７０２と７０３で最良に示された開口を有することが認められる。
【０１５５】
再び第１図を参照すると、内側及び外側パネルが床及び基礎部材に締結され、家屋の第１階層が、完成される。付加的な外側及び内側パネルは、家屋の第２階１１４１を形成するために、第１階を形成するパネルに固着される。
【０１５６】
第３１図と第４１図を参照すると、第３１図に示された外側パネルと第４１図に示された内側パネルが、上方に突出するパネル連結部分を有する。第３１図における外側パネルに関して、連結部分は、それぞれ、６４２と６５０で示される。第４１図において示された内側パネルに関して、連結部分は、それぞれ８１８と８２２で示される。
【０１５７】
第３１図と第４１図の連結部分６４２、６５０、８１８と８２２は、それぞれ、第３図に示された垂直ダクト部分６６と７６と同様である。こうして、ドアパネル部材は、家屋の第１階における部屋への天井として作用し、家屋の第２階の床として作用する。そのような床パネル部材は、第２１図において描かれた如く、床パネル３７０が基礎部材において設置されたと同様にして、連結部材において設置される。第１図を参照すると、第２複数のプレハブ外壁パネル２８は、こうして、第１階層１１２９のパネルの上に設置される。
【０１５８】
第５５図
第５５図を参照すると、第２複数のプレハブ外側及び内側パネル２８と３０は、連結部分６４２、６５０、８１８の配置を形成し、配置は、第３図に示された直立フランジ７０、７２、１２４と同様である。第１及び第２複数の内側及び外側パネルと同様の付加的なパネルは、多数の階層を有する家屋又は構造を創設するために、これらの直立連結部分６４２、６５０、８１８と８２２に固着される。しかし、好ましい実施態様において、家屋は、第１及び第２階層のみを含み、このため、複数の屋根パネルが、第２階層のパネル２８の上に設置される。
【０１５９】
第２複数の第２階層の外側パネル２８を適所に据えて、第３床パネル３２が、それぞれ、直立連結部分６４２、６５０、８１８と８２２に固着される。第３床パネル３２は、外側パネル２８と内側パネル３０によって囲まれた部屋のための天井として作用する。しかし、第３床３２は、家屋の屋根裏部分の床表面として作用する上面１１４０を有する。
【０１６０】
第３３〜４１図において描かれた内側パネルと同様の構成の屋根裏パネル１１４２は、連結部分１１４４、１１４６、１１４８と１１５０を有する。これらの連結部分は、第４１図に示された連結部分８１８、８２０、８２２と８２４と同様である。屋根裏パネル１１４２は、第４１図の内側パネルと同一の縦寸法を有するが、屋根裏パネル１１４２は、第４１図に示された内側パネルの垂直寸法のほぼ半分の寸法を有する。それから、第５４図に示された屋根パネル１０７０が、設置され、第２ピーク連結部分１０７４と１０７６（不図示）は、連結部分１１４４と１１４８に連結され、連結部分１０７８と１０８０（不図示）は、第２階層の外側パネル２８の連結部分６５０と６４２に連結される。
【０１６１】
第５６図
第５６図を参照すると、連結部分１１４４は、第１、第２及び第３ねじ開口１１５２、１１５４と１１５６をそれぞれ有する。屋根パネル１０７０と１１５８を設置するために、板連結部分９１４は、対向側１１６０と１１６２に対して突き合わされる。この位置において、それぞれの屋根パネル１０７０と１１５８の連結板９２６は、それぞれのフランジ部分における開口９２８が整列される如く、連結部分１１４４の頂部において収容される。これは、ボルト１１６４を開口９２８を通して挿入させ、ねじ開口１１５６において固着させる。さらに、板連結部分９１４における開口９１６は、それぞれ、第１及び第２ねじ開口１１５２と１１５４と整列され、第１及び第２ボルト１１６６と１１６８をねじ開口１１５２と１１５４と螺合させ、屋根パネルを適所で固着する。
【０１６２】
第５７図
第５７図を参照すると、屋根パネル３８の連結部分１０７８を設置するために、水平部分１１７２と第１及び第２垂直部分１１７４と１１７６を有するＴ形状コネクタ１１７０は、第３床パネル３２のフランジ１７２の頂部に置かれる。水平部分１１７２は、フランジ部分１７２に載上し、そして伸長部分９５４の板９５８は、水平部分１１７２に載上する。Ｔ形状コネクタ１１７０と伸長部分９５４と床パネル３２を第７図に示された如く配設して、開口９６２は、床パネル３２の板１６８における開口１８２と整列され、このため、ボルト１１７８は、開口１８２を通って挿入され、ねじ開口９６２と螺合する。同様に、第１及び第２開口１１８０と１１８２は、Ｔ形状部材１１７０の第１及び第２垂直部分１１７４と１１７６において配設される。開口１１８０は、伸長部分９５４におけるねじ開口９６０と整列し、このため、ボルト１１８４を収容するように作用し、伸長部分９５４をＴ形状コネクタ１１７０に固着するために、ねじ開口９６０を備えたボルトに螺合する。同様に、開口１１８２は、パネル２８の連結部分６４２におけるねじ開口１１８６と軸整列する。
【０１６３】
さらに、板１６８における開口１８２は、連結部分６４２の内側部分におけるねじ開口１１８８と軸整列され、こうして、ボルト１１９０は、開口１８２を通して挿入され、ねじ開口１１８８に螺合し、第３床パネルを連結部分６４２に固着する。屋根パネル３２は、こうして、第３床パネル３２と連結部分６４２へ固着される。他の屋根パネルも、同様に固着される。
【０１６４】
再び第１図を参照すると、家屋１０が、複数のパネルの組み立てによって形成される。小さな間げき１１９６が、隣接パネルの間に存在し、こうして、家屋の全側部又は端部にわたった連続壁部分は、除去される。むしろ、家屋の側部と端部は、連結された複数の個別パネル部分から形成される。これは、パネルを相互に関してわずかに移動させ、結果において、個別パネルによって形成された壁の部分を相互に関して移動させる。連続壁はないために、そのような移動は、壁の表面においてき裂を形成させず、こうして、壁の構造的保全性と壁の外観は維持される。しかし、小さな間げき１１９６が存在し、組み立て時点において、シリコンの如く耐火性弾性シーラント、セラミック糸、又は膨張可能な弾性泡を充てんされ、間げきにおいて気密シールを維持しながら、パネルを相互に関して移動させる。
【０１６５】
組み立てパネルの協働
ここで開示された発明による構造は、地震力又は砲弾爆破力によって生成されたモーメントに耐えるように特に十分に適合される。再び第２図を参照すると、家屋の基礎が、連結された複数の基礎部材から形成されることが認められる。これは、基礎における複数の位置において、基礎における一つの位置において課せられた、モーメントを吸収するために役立つ基礎を延性にする。隣接基礎部材の間の接合部は、そのようなモーメントを吸収するために役立つ。これは、例えば、そのような基礎の一つの隅部に印加されたモーメントが、そのようなモーメントを吸収する無能力により、基礎をき裂させる従来の一片の剛性連続基礎設計に対する利点である。
【０１６６】
再び第１図を参照すると、各パネル部材は、パネルが上記の如く連結された時、各パネルの外周を形成する固形骨組部材を有するために、連結された骨組部材は、３次元延性立体骨組を形成する。立体骨組は、本質的に、ボルト付けされた骨組部材から成るために、立体骨組の部材は、硬直に連結されず、むしろ、いくらかの延性を与え、こうして、基礎を通って立体骨組へ地面を移動する地震力又は砲弾爆発力、又は建築物に隣接した砲火からの如く、立体骨組に伝達されたモーメントと力の吸収を設ける。
【０１６７】
こうして、パネルは、そのような力を吸収するために、相互に関して、わずかに移動することができる。こうして、パネルは、相互に関して弾性的に作用する。壁パネルの各々の水平部分は、本質的に、ピンにより壁パネルの垂直部分に連結され、垂直部材に関する水平骨組部材の垂直移動を許容する。さらに、各パネルにおける引張ケーブルが、骨組部材を内方に各パネルの内側部分へ強制させるために使用されるために、引張ケーブルは、パネルにおける正負の荷重の場合に、わずかに拡張又は収縮するように作動し、こうして、パネルと骨組部材に及ぼされた力は、さらに、引張ケーブルの弾力性において吸収される。これは、特に、引張ケーブルの横及び縦部分に平行で、それらから離間された平面における対角引張ケーブルの使用によって設けられる。
【０１６８】
基礎において及ぼされた地震力は、基礎における接合部によって吸収される。残留モーメント及び力は、基礎に連結されたパネルと、こうして、連結パネルによって形成された立体骨組構造に伝達される。いっそうの残留力は、各パネルにおける構造、具体的に、網目、ケーブルとコンクリートに伝達される。網目とケーブルは、弾力性であり、残留力及びモーメントの大部分を吸収するために作用する。こうして、パネルを形成するコンクリートに最終的に達する力とモーメントの大きさは、最小にされ、コンクリートパネル部分におけるき裂を生成する危険を縮小する。家屋の床、壁及び天井表面は、こうして、地震活動又は近隣の砲火の後さえも、事実上き裂はない。
【０１６９】
さらに、発明は、いろいろな風条件において動的に安定な構造を提示する。構造は複数のパネルから成るために、風効果が作用する表面積は、従来の家屋構造の単体壁に関して縮小される。各パネル自体は、張力と圧縮に耐えることができ、このため、内向き力（正荷重）と外向き力（負荷重）を吸収することができる。
【０１７０】
例えば、矢印１１９２の方向における内向き力は、正荷重を外壁パネルに及ぼす。一般に１１９４で指示されたパネルの中央部分は、わずかに内側に移動することができ、これにより、パネルの側部１部分と側部２部分において引張ケーブルを引き伸ばし、引張ケーブルは、そのような引き伸ばしと相応して力の吸収を弾力的に阻止する。矢印１１９２と反対方向において加えられた力は、負の荷重を表現し、同様にして吸収され、パネルの中央部分は、力を吸収するためにわずかに外側に移動するが、その後、その原位置に復帰する。
【０１７１】
上記のパネル、基礎部材及びコネクタは、第１図に示された家屋の如く３次元建築物構造を、迅速かつ効率的に建造させる。パネルはプレハブされるために、パネルの全製造プロセスは、工場において完了される。特に、コンクリートを形成する際に使用された骨材は、一様性を保証するように選択制御され、コンクリートは、制御条件下で硬化され、研磨、塗装、焼成され、あるいは他の建築学的仕上げが適用される。
【０１７２】
さらに、構造的鋼構成部品は、コンピュータ制御技術を使用して、正確に切断及び形成される。さらに、構造が建造される作業地点は、パネルを締結するための必要なボルト及びレンチ、パネルを適所に引き上げるためのクレーン、及びパネルの非所望の突出する連結部分を選択的に切断するための切断トーチを備えればよい。さらには、パネルは、十分に頑丈であり、従来の出荷容器寸法を有する特別設計の出荷容器において容易に出荷される。こうして、プレハブパネルは、工場から作業地点へ容易に輸送される。
【０１７３】
パネルの他の用途
高層構造
第５８図
第５８図を参照すると、本発明によるパネルのいっそうの使用が、従来の高層事務所又はアパート建築物構造と協働して実現される。従来の高層構造は、一般に、上から見た時、矩形配列において配置された複数の垂直コラム１２００と、垂直コラムに沿って複数の水平に離間した平面１２０４、１２０６、１２０８、１２１０、１２１２、１２１４において配置した複数の水平クロス部材１２０２とを含む。
【０１７４】
垂直コラム１２００と水平クロス部材１２０２は、高層建築の主要構造的構成部品を形成し、従来の設計である。構造的保全性のためにクロス部材の寸法を決め、平面の適切な間隔により、発明による外側パネル１２１６、内側パネル１２１８及び床パネル１２２０は、例えば、３ユニット幅、４ユニット長の３階層高層建築のモジュール１２２２を形成するために連結され、この場合、各ユニットは、個別アパート又は事務所である。
【０１７５】
高層建築は、こうして、モジュラー形式において建築され、従来行われた如く高層建築の各コンクリート床の注入を除去する。
【０１７６】
垂直コラム又はクロス部材に隣接して位置する個別外側又は境界パネルは、各パネルに付随した連結手段を使用して、それぞれの隣接垂直及び水平部材１２００と１２０２に連結され、立体骨組は、各パネルの骨組部材と高層建築の垂直及び水平部材によって形成される。比較的大きな単体立体骨組が、こうして形成され、立体骨組は、離間した垂直平面の間に借用可能なユニットの配列を規定する。パネルの縁部分に平行な方向におけるパネルからの突出部分は、連結手段として作用し、地震力の下で弾性的に変形するために動作し、立体骨組は、地震活動又は砲火によって生成されたモーメントと力を吸収する能力を含む、前述の利得のすべてを有する。さらに、コンクリート表面をき裂させることなく残留モーメントを吸収する能力と、風荷重力に耐久し分散させる能力を含むパネルの利得のすべてが、高層建築において獲得される。
【０１７７】
出荷容器
第５９図
第５９図を参照すると、家屋を形成するパネルの輸送が、１２３０で示された如く、１６’×８’×９’出荷容器を形成するために、家屋の床パネルを連結することにより容易に達成され、パネルと家屋の他の構成部品は、容器内に、破線で示される。床パネルは、その７つが、１２３２、１２３４、１２３６、１２３８、１２４０、１２４２と１２４４で示された８つの容器隅部と、３つの１２４８、１２５０と１２５２で示された４つの中央部分コネクタを形成するために連結される。
【０１７８】
第６０〜６７図
第６０図と第６１図を参照すると、中央部分コネクタ１２４８が示される。第１及び第２床パネル１２５６と１２５８は、水平平面において、端部を突き合わせて示される。同様に、第３及び第４床パネル１２６０と１２６２は、垂直平面において、端部を突き合わされる。第１及び第２床パネル１２５６と１２５８の板部分１２６４と１２６６は、第１及び第２床パネルのそれぞれの下側に対して平坦であるようにそれぞれ直角において曲げられる。これは、第３及び第４パネルのそれぞれの縁１２６８と１２７０を、第１及び第２床パネルの下側にすぐ隣接して位置させる。この構成において、それぞれのフランジ１２７２と１２７４、及び平行部材１２７６と１２７８は、それぞれ、第１及び第２床パネルの端部縁１２８２と１２８４の間に形成される比較的大きな上部間げき１２８０で突き合わされる。板部分の対向部分１２８６と１２８８は、垂直上方に突出される。
【０１７９】
同様に、第３及び第４パネル１２６０と１２６２における平行部材１２９０と１２９２、及びフランジ１２９４と１２９６は、突き合わされ、側部間げき１２９８と、パネルから水平外側に突出する板部分１３００と１３０２を残す。
【０１８０】
第６２図を参照すると、頂部中央木製部材１３０４は、その上面１３０６が、第１及び第２床パネル１２５６と１２５８の隣接外面１３０８と１３１０とほぼ同一平面であり、その端面１３１２が平行部材１２７６と１２７８とほぼ同一平面である如く、フランジ（第６０図と第６１図の１２７２と１２７４）に載上するように前切欠きされる。それから、板部分１２８６と１２８８は、木製部材１３０４に重なり、上部間げきにおいて固着するために直角において曲げられる。
【０１８１】
第６３図を参照すると、第１及び第２板部分１３２２と１３２４は、上部及び側部間げきを横切って、第１及び第２床パネル１２５６と１２５８と、第３及び第４床パネル１２６０と１２６２にそれぞれ固着される。好ましくは、前ねじ付き開口（不図示）が、それぞれ、第１及び第２床パネルのそれぞれの部分において設けられ、板部分１３２２を床パネル１２５６と１２５８に固着し、板部分１３２４を床パネル１２６０と１２６２に固着するためのボルト１３２６を収容する。板は、床パネルを硬直に固着する。
【０１８２】
第６４図と第６５図を参照すると、第１容器隅部が、一般に１２３２で示される。隅部は、８’×１６’の床パネルである第１及び第３パネル１２５６と１２６２によって形成される。これらのパネルは、方形の形状の８’×８’の大きさの第５床パネル１３２８に連結される。第５床パネルは、容器の端部分として作用する。第１パネルの第１板部分１３３０は、床パネルの下側に平行に曲げられ、第３パネル１２６２の縁１３３２を第１床パネル１２５６の下側に密接に隣接して位置させる。第２板部分１３３４は、直立にされる。
【０１８３】
同様に、第３パネル１２６２の第１板部分は、破線において、一般に１３３６で示された如く曲げられる。第１板部分は、第３パネル１２６２の内面に平行になるように曲げられるが、第３パネル１２６２の第２板部分１３３８は、外側につき出る。この構成において、それぞれの平行部材１３４０と１３４２と、それぞれのフランジ部材１３４４と１３４６は、離間され、相互に干渉しない。
【０１８４】
第５床パネル１３２８は、第１及び第２板部分を有し、第１板部分は、第６４図において破線により１３４８で示され、そして第２板部分は、第６４図と第６６図において実線により１３５０で示される。第１板部分１３４８は、第１パネル１２５６の下に配設されるが、第２板部分１３５０は、外側につき出る。パネルはまた、パネル１３２８の縁１３５６に関して垂直上方に突出する平行部材１３５２とフランジ部材１３５４を有する。こうして、上部縁間げき１３５８と側部縁間げき１３６０は、第１及び第５パネル１２５６、１３２８と第３及び第５パネル１２６２、１３２８のそれぞれの界面において形成される。
【０１８５】
第６６図を参照すると、上部縁間げきは、それぞれ、第１及び第５パネルの平行及びフランジ部材（第６４図と第６５図の１３４０、１３４４と１３５２、１３５４）を収容するために適切に切欠きにされた木製上部縁部材１３６２によって充てんされる。これは、上部木製部材１３６２の第１及び第２側部１３６４と１３６６を、第１及び第５パネルのそれぞれの表面１３０８と１３６８と同一平面にあるようにし、その端面１３７０を第１パネル１２５６の縁表面１３７２と同一平面にする。第２板部分１３３４と１３５０は、木製部材１３６２の上に曲げられ、それを適所に固着する。
【０１８６】
同様に、木製側縁部材１３７４は、第６５図に示された平行なフランジ部材１３４２と１３４６を収容するために適切に切欠き（不図示）にされ、第１及び第２側面１３７６と１３７８は、第６４図に示された縁間げき１３６０に置かれた時、それぞれ隣接表面１３８０と１３８２と一般に同一平面にある。再び第６６図を参照すると、第２板部分１３３８は、木製側縁部材１３７４の上に曲げられ、それを位置において固着する。
【０１８７】
第６７図を参照すると、隅部コネクタが、一般に１３８４で示される。隅部コネクタは、第６６図に示された如く隅部分を準備した後、容器の隅部分の上に設置される。隅部コネクタは、第１直角部材１３８６と、クレーンアダプター１３９０が溶接された上部板部材１３８８を含む。第１直角部材１３８６は、それぞれ、１３９２と１３９４で指定あれた第１及び第２部分を有する。第１及び第２部分１３９２と１３９４は、第１部分１３９２が表面１３６６に平行であるように機能するが、第２部分は、表面１３７２に平行であるように機能する如く、相互に対して直角で方向付けられる。第１及び第２部材は、近隣の木製部材へ差し込むラグボルト１４００と、縁表面１３７２における予備形成ねじ開口（不図示）と第５パネル１３２８と第３パネル１２６２における予備形成ねじ開口へねじ込められるキャリッジボルト１４０２によって、それぞれの隣接表面に固着される。
【０１８８】
上部板部材１３８８は、それぞれ、木製表面１３６４とパネル表面１３１０に載置される第１及び第２部分１４０４と１４０６を有する。第１部分１４０４は、ラグボルト１４０８によって木製表面１３６４に固着されるが、第２部分は、パネル１２５６の骨組部材（破線で示された１４１２等）においてねじ開口（不図示）と協働するキャリッジボルト１４１０によって第１パネルへ固着される。直角クレーンアダプター１３９０は、表面１３６６と縁表面１３７２に平行な部分を有し、多くの出荷港に見いだされる従来の容器リフトクレーンを隅部に掛合させる。
【０１８９】
再び第５９図を参照すると、残余の容器隅部１２３４、１２３６、１２３８、１２４０、１２４２と１２４４（及び不図示のもの）が、隅部１２３２に関して記載されたと同様にして形成されることが認められる。同様に、残余の中央部分コネクタ１２５０、１２５２（及び不図示のもの）は、中央部分コネクタ１２４８に関して記載された如く形成される。こうして、家屋の床パネルは、家屋を建築するために必要な構成部品のすべてを保持することができる出荷容器を形成するために、有効に連結される。容器を形成するために使用された床パネルはまた、第６２図における曲げ板部分１２６４、１２６６、１２８６、１２８８、１３００と１３０２と、第６４図における１３３４、１３３６、１３３８と１３５０をまっすぐにするか又は切り離した後、家屋を建築する際に使用される。
【０１９０】
再び第５９図を参照すると、容器は、こうして、家屋を形成するために必要ないろいろな他のパネル及び構成部品が、次の構成部品リストによって指示された如く置かれる開放「箱」を形成する。
【０１９１】
床
２００１  床、容器の下側
２００２  床ｃ／ｗプラミング連結、容器の下側
２００３  床、容器の上側
２００４  床、容器の上側
１２５６  床、容器の側面
１２５８  パティオ、容器の側面
１２６０  パティオ、容器の側面
１３２８  デッキ、容器の端部
２０１０  デッキ、容器の端部
外壁
２０１１  後左隅ｃ／ｗ窓
２０１２  後左ｃ／ｗガラスドア
２０１３  後中心
２０１４  後右ｃ／ｗ窓
２０１５  後右隅ｃ／ｗ窓
２０１６  前左隅ｃ／ｗ窓
２０１７  前左ｃ／ｗ窓
２０１８  前中心ｃ／ｗつや消し窓及びドア
２０１９  前右ｃ／ｗ窓
２０２０  前右隅ｃ／ｗ窓
２０２１  左後ｃ／ｗ窓
２０２２  左中心ｃ／ｗ窓
２０２３  左前ｃ／ｗ窓
２０２４  右後ｃ／ｗガラスドア
２０２５  右中心ｃ／ｗ窓
２０２６  右前ｃ／ｗ窓
屋根
２０２７  切妻壁左後
２０２８  中央左
２０２９  切妻壁左前
２０３０  切妻壁右後
２０３１  中央右
２０３２  切妻壁右前
内壁と隔壁
２０３３  全高壁
２０３４  ８’高壁ｃ／ｗドア
２０３５  ２０３４と２１０１の上の壁
２０３６  全高壁
２０３７  全高壁ｃ／ｗドア
２０３８  全高壁
２０３９  ８’高隔壁ｃ／ｗドア
２０４０  ２１０１の上の（ａとｂ）隔壁
２０４１  全高壁
２０４２  全高壁
２０４３  ２１０１の上の（ａとｂ）隔壁
２０４４  ８’高隔壁ｃ／ｗクロゼットドア
２０４４  クロゼットのｔ．上部
２０４５  ８’高隔壁ｃ／Ｗクロゼットドア
２０４５  クロゼットのｔ．上部
キャビネットと設備
２１００  台所ユニット
２１０１  浴室ユニット
２１０２  冷蔵庫／冷凍機
２１０３  洗濯機乾燥機
２１０４  熱水加熱機
容器は、こうして、家屋を建築するために必要とされた構成部品のすべてを含む。各隅部におけるクレーンアダプター１３９０は、主要出荷港の波止場において一般に見いだされる如く従来の容器操縦設備を使用して、容器を操縦し、このため、容器を引き上げるための操縦クレーンと協働するための手段として作用する。容器自体が、鋼骨組とコンクリート内側部分を具備するパネルから形成されるために、複数の容器は、航海中船の引き上げにより容器を損傷する恐れなしに、外洋航行船の甲板又は出荷用入れ物において、互いに積み重ねられる。典型的に、家屋のための基礎部材は、別々に出荷され、又は家屋が設置される作業地点の近くで製造される。
【０１９２】
第６８図と第６９
第５９図に示された容器が作業地点において収容される時、容器内の構成部品と容器を形成するパネルは、発明による家屋を形成するために組み立てられる。ここで開示された実施態様において、家屋は、６インチ床パネル、４．７５インチ外壁パネル、７インチ屋根パネル、３インチ内壁パネル及び２インチ内側隔壁を使用して、８００平方フィート超の居住空間を設ける。
【０１９３】
基礎部材がすでに出荷され、地点において設置されたと仮定すると、家屋は、上記の如く組み立てられる。第６８図の平面図において最良に見られる如く、出荷容器の床、側部、端部と上部（２００１〜２０１０）は、家屋の床（２００１〜２００５）、パティオ（２００６と２００７）、前面ポーチ（２００８）、及びデッキ（２００９）を形成するが、容器の内側にあった構成部品は、家屋自体を形成する。発明は、こうして、家屋を建築するために必要なすべての構成部品を保持することができる出荷容器を設け、容器自体の構成部品はまた、最終組立品における家屋の構成部品を形成する。こうして、家屋構成部品のための便利で強力な出荷容器を設けると同時に、材料と空間の効率的な使用がなされる。
【０１９４】
各パネルにおける突出部分は、隣接パネルの協働する連結手段へパネルの各々を連結するための連結手段として作用する。上記の如く、これらの突出部分は、パネルに課せられる過酷な力の下で弾性変形するために動作する。
【０１９５】
代替物
第７０図
第７０図を参照すると、上記のコンクリートに伝えられたなめらかな仕上げに対する代替的な仕上げは、その一つが３０００で示された複数の予備形成された従来の矩形大理石タイルを使用して形成される。タイルは、従来の大理石タイルの接着側に固着された、一般に３００２で示された複数のフックをあらかじめ嵌合わされる。各フックは、タイルの接着又は裏張り側に粘着された平坦な裏張り表面部分３００４を有する。突出部分３００６は、タイルから離れた、平坦な表面部分に垂直である。突出部分は、タイルが壁パネルにおいて使用される時、床の方に、下方に突出するように配置されたフック部分３００８において終端される。フック３００２は、タイルの接着側とフック部分３００８の間の距離が、第７０図に３０１０で指定された、コンクリートの厚さにほぼ等しい如く予備形成される。
【０１９６】
大理石タイルを使用するために、タイルは、フック３００２をあらかじめ嵌合わされる。それから、コンクリート３０１０がパネルの網目３０１２の上に注入された後、しかしコンクリートが硬化する前に、タイルは、裏張り表面が未硬化コンクリートの表面に載置されるまで、フック部分３００８が未硬化コンクリートへ突出する如く、コンクリート上に置かれる。この位置において、フックは網目３０１２と掛合するが、タイルの接着側は、未硬化コンクリートに接触する。それから、パネルは、コンクリートが硬化する間、乱されずにおかれる。硬化コンクリートは、フックの回りに堅く凝固し、フック３００２を網目３０１２に固着させ、そしてタイルは、パネルに確実に固定される。タイルは、必ずしも大理石である必要はないが、岩石、花こう岩、スレート、下見張り等の適切な建築学的仕上げである。
【０１９７】
第７１図
上記の実施態様において、パネルは、８’×８’の大きさであると述べられた。上記の８’×８’パネルを使用して利用可能なものと同様な利得は、いろいろな他の寸法のパネルにおいて利用可能である。他の寸法を有するパネルの例は、第７１図において示される。
【０１９８】
第７１図に示されたパネルのすべては、８’の高さである。上記の利得を達成することができる最小の実パネル（ａ）は、６”幅であり、垂直引張ケーブルのみを含む。１２”及び１８”のパネル（ｂ）と（ｃ）は同様である。２’〜３’６”のパネル（ｄ、ｅ、ｆ、ｇ）は、各々、引張ケーブルの対角部分を含むが、各々は、上記の実施態様における如く「Ｘ」形式であるよりも、反転「Ｋ」形式を形成する。残余のパネルは、各々、対角ケーブルの少なくとも一つの「Ｘ」形式を含み、幾つかのパネルは、「Ｘ」形式と「Ｋ」形式（ｍ、ｎ、ｑ、ｓ、ｕ、ｗ）の組み合わせを含む。指示された形式は、上記の構造的、地震及び風利得を達成するために、指示されたパネル寸法に対して好ましい。
【０１９９】
湾曲基礎とパネル
第７２図
第７２図を参照すると、湾曲基礎部分は、一般に４０００で示される。湾曲基礎部分を使用するために、端部基礎アダプター部分４００２と側部基礎アダプター部分４００４が使用される。端部基礎アダプター部分４００２は、第３図において４２で指定された基礎部分と同様な端部基礎の長さを含むが、第１及び第２直立連結部分４００８と４０１０は、湾曲基礎部分４０００に隣接して垂直上方に伸びる。第１及び第２直立連結部分４００８と４０１０は、第３図の側部部材４０における垂直ダクト部分７４と７６と同様であり、こうして、それぞれの導管とねじ開口４０１６、４０１８と４０２０、４０２２を有するそれぞれの板４０１２と４０１４を有する。
【０２００】
側部基礎アダプター４００４は、第３図に示された直角端部分４８を備えないことを除いて、第３図の側部基礎部材４０と同様である。むしろ、側部基礎アダプター４００４は、それぞれ、第１及び第２直立溝部分４０２６と４０２８を有するまっすぐな端部分４０２４を有する。第１及び第２直立溝部分は、端部分４０２４に関して垂直上方に伸び、溝部分は、上記の溝部分４００８と４０１０と同様である。
【０２０１】
第１及び第２溝部分４０２６と４０２８は、それぞれの板４０３０と４０３２において終端される。各板は、それぞれの導管とねじ開口４０３４、４０３６と４０３８、４０４０を有する。
【０２０２】
湾曲基礎部材４０００は、半径５フィートの円弧に従い、９０度にわたる。部材は、端部基礎アダプター部分４００２と側部基礎アダプター部分４００４のそれぞれの端部分と同一平面で嵌合する第１及び第２端部分４０４２と４０４４を有する。隣接端部分は、第３図に示された連結フランジ８６と同様なそれぞれの嵌合コネクタ４０４６と４０４８を使用して、連結される。
【０２０３】
第７２図を参照すると、端部基礎アダプター部分４００２、湾曲基礎部材４０００と側部基礎アダプター４００４は、各々、隣接基礎部材の（第３図において５６で示された如く）導管と連通するそれぞれの導管４００１、４００３と４００５を有する。こうして、電気供給ケーブルは、いろいろな基礎部材の導管において経由され、開口４０１６、４０２０、４０３４、４０３８を通して接近される。このため、電気供給は、板４０１２、４０１４、４０３０と４０３２に連結されたパネルに設けられる。
【０２０４】
湾曲隅部を有する床パネル
第７３図
第７３図を参照すると、湾曲隅部分を有する床パネルの複数の骨組部材が、一般に５０００で示される。複数の骨組部材は、第１、第２、第３、第４、第５及び第６骨組部材５００２、５００４、５００６、５００８、５０１０と５０１２をそれぞれ含む。骨組部材５００２、５００４と５００６は、第４図の骨組部材１５０、１５２と１５３と同様であり、このため、さらには記載されない。骨組部材５００８と５０１０は、まっすぐな骨組部材であるが、骨組部材５０１２は、第７２図に示された湾曲基礎部材４０００の曲率半径に一致するような５フィートの半径５０１４を有する９０°の円弧にわたるように縦に湾曲される。
【０２０５】
再び第７３図を参照すると、骨組部材５０１２は、第１及び第２端面５０１６と５０１８を相互に直角に配設している。各端部分は、隣接骨組部材５００８と５０１０において協働するピン５０２４と５０２６を収容するために、それぞれの放射状開口５０２０と５０２２を有する。隣接骨組部材はまた、骨組部材が組み立てられた時、第１及び第２端面５０１６と５０１８に突き当たるそれぞれの平坦な端面５０２８と５０３０を有する。
【０２０６】
隣接骨組部材５００８は、第７２図に示された基礎に仕上げパネルを連結するために使用される、第１、第２、第３及び第４連結フランジ５０３２、５０３４、５０３６と５０３８を有する。第１連結フランジ５０３２は、第５図、第６図と第７図の連結フランジ１７２と同様であり、骨組部材５００８の縦軸５０４０に沿って、パネルから外側に突出する。第２、第３及び第４連結フランジ３０３４、３０３６と３０３８は、第１連結フランジと同様であるが、縦軸５０４０を横断する構造を有する。第２連結フランジは、第１連結フランジに隣接して配設されるが、第３及び第４連結フランジは、相互に隣接し、かつ第３骨組部材５００６に隣接して配設される。
【０２０７】
第５骨組部材５０１０はまた、横向きの連結フランジ５０４４と５０４６を有し、第４図において２０４で指示されたものと同様な複数の離間したチェアボルスターフック５０４８を備えた内面を有する。
【０２０８】
骨組部材５００２、５００８と５０１２はまた、第４図において１９６で指示されたものと同様な複数の離間した引張ケーブルフック５０５０を有する。
【０２０９】
第７４図
今第７４図を参照すると、骨組部材５００２〜５０１２は、それぞれ、第１及び第２内側部分５０５２と５０５４を形成するために組み立てられる。内側部分は、第１１図におて２７０と２７２で示されたパネルの内側部分におけるスラブと同様な予備形成されたスタイロフォーム５０５６と５０５８のそれぞれのスラブを含む。スラブ５０５６は、内側部分２７０において示されたスラブと事実上同一であり、このため、さらには記載されない。スラブ５０５８は、丸い隅部分５０６０を除いて、内側部分２７２におけるスラブと同様である。スラブ５０５８は、縦、横、及び湾曲凹部を有し、縦部分は、５０６２で指示され、横部分は、５０６４で指示され、そして湾曲凹部は、５０６６で指示される。スラブはまた、それぞれ、第１及び第２交差対角凹部５０６８と５０７０を有する。第１対角凹部は、湾曲凹部と対向隅部の間に配設され、第２対角凹部は、第１対角凹部を横断して対向隅部の間に配設される。
【０２１０】
第７５図
第７５図を参照すると、第１の弾力的に拡張可能な可撓性引張ケーブル５０７２が、第１１図に示されたものと同様にして第１スラブ５０５６の凹部において経由され、骨組部分を内側に強制させるために役立つ。第２の弾力的に拡張可能な可撓性引張ケーブル５０７４は、凹部５０６２、５０６４、５０６６、５０６８と５０７０において経由され、骨組部材５００２、５００８、５０１０と５０１２を一緒に保持するために役立つ。第１４図において記載された床パネルと同様に、縦及び横凹部において経由された引張ケーブルの部分は、第１平面にあるが、対角凹部において経由された部分は、第１１図に関して記載されたケーブルの経由と同様にして、第１平面から離間した第２平面にある。
【０２１１】
第７６図
第７６図を参照すると、網目材の第１及び第２層５０７６と５０７８が、張力をかけられ、パネルのそれぞれの第１及び第２内側部分に面するボルスターフック５０４８に連結される。網目材の第１層は、第１６図において示された針金網目３３０と同様である。第２層もまた、骨組部材５０１２の湾曲に一致するような丸い隅部分５０８０を有することを除いて、第１６図の針金網目３３０と同様である。網目材の第１及び第２層は、引張ケーブルの対角部分が経由される第２平面の上の第３平面にある。それから、コンクリート（不図示）が、横、縦及び対角凹部が充てんされる如く網目材の上に注入され、そしてコンクリートは、なめらかな平面を有するように仕上げられる。パネルの反転側は、同様にして仕上げられ、第３及び第４引張ケーブル、網目の第３及び第４層、及びコンクリートの第２仕上げ側面を含む。
【０２１２】
第７７図
第７７図を参照すると、発明による仕上げパネルは、全体を５０８２で示され、仕上げ内面５０８４と、第７２図に示された、それぞれ、対応する連結フランジ１２４、１２４、４０１２、４０１４、８０、４０３２、４０３０、８０と１３４と嵌合する突出する連結フランジ５０３２、５０３４、５０３６、５０３８、５０４２、５０４４、５０４６と５０８６とを有し、パネルから突出する連結フランジと基礎から突出するフランジは、基礎又はパネルにおいて課せられた地震力の下で弾性変形するように動作する協働する連結手段として作用する。
【０２１３】
湾曲外壁パネル
第７８図
第７８図を参照すると、湾曲外壁パネルを形成するための複数の骨組部材は、一般に５０８８で示される。複数の骨組部材は、第１及び第２湾曲骨組部材５０９０と５０９２、第１及び第２端部材５０９４と５０９６、及び第１、第２、第３及び第４中間骨組部材５０９８、５１００、５１０２と５１０４を含む。
【０２１４】
端部材５０９４と５０９６は、第２２図の部材４２０と４３２と同様であるが、中間骨組部材５０９８、５１００、５１０２と５１０４は、第７３図に示された部材５００６と同様である。このため、これらの部材は、さらに説明を必要とない。第１及び第２湾曲骨組部材５０９０と５０９２は、相互の鏡像であり、このため、第１湾曲骨組部材５０９０のみが記載される。
【０２１５】
第７９図
第７９図を参照すると、第１湾曲骨組部材５０９０は、第１、第２、第３及び第４中間部分５１１８、５１２０、５１２２と５１２４によってそれぞれ離間された、第１、第２、第３、第４及び第５パネル部分５１０８、５１１０、５１１２、５１１４と５１１６をそれぞれ有する内向き面５１０６を有する。骨組部材５０９０はまた、それぞれ、第１及び第２対向端部分５１２６と５１２８を有する。
【０２１６】
各端部分５１２６と５１２８は、（第７８図の）それぞれ、対応する端部材５０９４と５０９６の嵌合する端部分においてそれぞれのピン５１３４と５１３６を収容するための開口５１３０と５１３２をそれぞれ有する。同様に、各中間部分５１１８、５１２０、５１２２と５１２４は、（第７８図の）それぞれ、対応する中間部材５０８、５１００、５１０２と５１０４の端部分においてピン５１４６、５１４８、５１５０と５１５２のそれぞれの対と嵌合するための開口５１３８、５１４０、５１４２と５１４４のそれぞれの対を有する。ピンは、開口において軸方向に移動することができ、これにより、湾曲端部材を中間部材と端部材に平行な方向において移動させる。
【０２１７】
パネル部分５１０８、５１１０、５１１２、５１１４と５１１６は、同様であり、このため、パネル部分５１０８のみが記載される。パネル部分５１０８は、それぞれ、第１及び第２離間引張ケーブルフック５１５４と５１５６を含み、フックは、第７３図において５０５０で示されたものと同様である。引張ケーブルフック５１５４と５１５６の間に、整列した、３つの離間したチェアボルスターフック５１５８、５１６０と５１６２が位置する。
【０２１８】
第８０図
第８０図を参照すると、スタイロフォームの湾曲スラブ５１６４は、第７８図の湾曲骨組部材５０９０と５０９２と同一の湾曲を形成され、ウェブ部分５１６６と、複数の縦凹部５１７０と、複数のリブ部分５１６８とを含む。
【０２１９】
第８１図
第８１図を参照すると、湾曲パネルの製造が、製造用床に平坦に置かれた網目材のシートで開始される。タール用紙５１７４の如く不透水性膜が、網目材５１７２上に平坦に置かれ、そして湾曲スタイロフォームスラブ５１６４が、タール用紙５１７４上に置かれる。
【０２２０】
第８２図
第８２図を参照すると、端部及び中間骨組部材５０９４、５０９６、５０９８、５１００、５１０２と５１０４が、凹部５１７０に置かれ、そして湾曲骨組部材５０９０と５０９２が、それぞれの部材（５１３４と５１３６）が、湾曲端部骨組部材における対応する開口（５１３０と５１３２）において収容される如く、それらに対して据えられる。それから、タール用紙５１７４と網目材５１７２が、湾曲スタイロフォームの形状に従うように上方に曲げられ、そして膜の縁と網目が、端部材５０９４と５０９６、及び湾曲骨組部材５０９０と５０９２を取り巻くように端部材の上に曲げられる。
【０２２１】
第８３図と第８４図
第７８図、第７９図と第８３図を参照すると、単一の弾力的に拡張可能な可撓性引張ケーブル５１７６が、各パネル部分の引張ケーブルフック５１５４と５１５６の間に経由され、そして湾曲骨組部材５０９０と５０９２が、端部材５０９４と５０９６、及び中間部材５０９８と５１０４に対して居心地良く保持される如く、ターンバックル５１５７を使用して張力をかけられる。
【０２２２】
それから、網目材のさらに他の層５１７８が、第８４図に最良に見られる如く、湾曲内側平面５１８０が網目材によって規定される如く、端部材５０９４、５０９６と湾曲骨組部材５０９０と５０９２の間に連結される。第８３図に最良に示されたコンクリート保持縁５１８２は、パネルの内面の周囲を規定する縁を形成するために、隣接骨組部材にリベット、溶接又はねじで留められる。
【０２２３】
第８５図
コンクリートは、リブ５１８４の間にコンクリートウェブ部分５１８６を配設してコンクリートリブ５１８４を形成するために、スタイロフォームスラブの凹部５１７０に流入する如く、網目材５１７８の上に注入される。リブのコンクリートは、こうして、中間部材５０９８、５１００、５１０２と５１０４及び引張ケーブル５１７６の回りに届くが、ウェブ部分５１８６は、網目材５１７８の回りに届く。コンクリートは、硬化するように乱されずにおかれ、これにより、なめらかな湾曲内面５１８８が形成される。なめらかな湾曲外面５１９０は、第１網目材５１７２によって形成され、スタッコ又は同等物の如く従来の仕上げを使用してなめらかに仕上げられる。
【０２２４】
第８６図
第８６図を参照すると、発明による仕上げ湾曲パネルは、一般に５１９２で示される。パネルは、それぞれの隅部から外側につき出る突出連結部分５１９４、５１９６、５１９８、５２００を有する。連結部分は、第３１図に示された連結部分６４２、６４６、６４８と６５０と同様であり、こうして、各々、ユーティリティー供給導管の経由のためのそれぞれの開口と、隣接パネル又は基礎部材へパネルを固着するためのねじ開口５２０１を有する。
【０２２５】
第８７図
第８７図を参照すると、床パネルは、湾曲基礎部材４０００、端部基礎アダプター部分４００２と側部基礎アダプター４００４における組み立ての直前で示される。
【０２２６】
床パネルは、フランジ５０３２、５０３４、５０３６、５０３８、５０４６、５０４４、５０４２と５０８６が、それぞれ、対応する連結フランジ１２４、４０１２、４０１４、４０３０、４０３２、８０と１３４と嵌合する。湾曲隅部４０５２は、湾曲基礎部材４０００に隣接して位置する。
【０２２７】
次に、第１、第２、第３及び第４アダプター連結フランジ５２０２、５２０４、５２０６と５２０８が、それぞれ、連結フランジ５０３４、５０３６／５０３８、５０４６／５０４４と５０４２の上に載せられる。それから、湾曲壁パネル５０００が、連結部分５２００と５１９８が、それぞれ、連結フランジ５２０４と５２０６と嵌合する如く、基礎の上に置かれる。３フィートの長さを有する第１及び第２隣接壁パネル５２０３と５２０５が、構造の隅部を完成するために、同様にして連結フランジ５２０２、５２０４、５２０６と５２０８上に設置される。
【０２２８】
壁パネル連結部分５１９８と５２００、フランジ５２０２、５２０４、５２０６、５２０８、床パネル連結フランジ５０３４、５０３６、５０３８、５０４２、５０４４、５０４６、５０８６、及び対応する基礎連結フランジ１２４、１２４、４０１２、４０１４、８０、４０３２、４０３０、８０と１３４が、それぞれ、ボルトを使用して連結され、パネルを基礎に硬直に固着する。このようにしてパネルと基礎の連結は、３次元立体骨組を創設し、この場合、各パネルの個別骨組部材が、立体骨組において構造部材として作用する。基礎とパネル部材から突出するコネクタは、それぞれ、動的力を吸収かつ分散させることができる弾性変形可能な連結として作用する。
【０２２９】
最後に、壁、床又は屋根パネルは、事実上任意の幾何学的形状にされ、平坦面又は湾曲面形態に限定されない。
【０２３０】
発明の特定の実施態様が、記載され、示されたが、そのような実施態様は、添付のクレイムにおいて解釈された如く発明を限定するものではない。
【図面の簡単な説明】
【０２３１】
【図１】本発明の多様な実施態様による基礎、床、外壁、内壁、及び屋根パネルを含む家屋の斜視図である。
【図２】本発明の第１実施態様による基礎の平面図である。
【図３】第２図に示された基礎の部分の斜視図である。
【図４】本発明の第２実施態様による床パネルに含まれた骨組部材の分解図である。
【図５】第４図に示された頂部骨組部材の端部分の側面図である。
【図６】第５図に示された端部分の底面図である。
【図７】第５図に示された端部分の端面図である。
【図８】第４図に示された側部骨組部材の端部分の側面図である。
【図９】第８図に示された端部分の正面図である。
【図１０】第８図に示された端部分の端面図である。
【図１１】骨組部材の間に絶縁物を据え付けた床パネルの平面図である。
【図１２】第１１図の線１２−１２に沿って取った断面図である。
【図１３】第１１図の線１３−１３に沿って取った断面図である。
【図１４】水平、垂直、及び対角引張針金部分を示す床パネルの平面図である。
【図１５】第１４図の線１５−１５に沿って取った断面図である。
【図１６】絶縁材を覆う網目部分を有する床パネルの平面図である。
【図１７】第１６図の線１７−１７に沿って取った断面図である。
【図１８】鋳込みコンクリートにおける平面部分とリブ部分の形成を示す床パネルの部分の断面図である。
【図１９】コンクリートの第１及び第２鋳込み部分を示す床パネルの部分の断面図である。
【図２０】完成した床パネルの平面図である。
【図２１】本発明による内側及び外側パネルと、第３図に示された基礎を備えた第２０図に示された床パネルの連結部を示す分解図である。
【図２２】本発明の第３実施態様による外側パネルに含まれた骨組部材の平面図である。
【図２３】第２２図に示された側部骨組部材の部分の側面図である。
【図２４】第２３図に示された骨組部分の正面図である。
【図２５】第２３図に示された骨組部分の底面図である。
【図２６】第２２図に示された頂部骨組部材の部分の正面図である。
【図２７】外側パネルを組み立てる際の第１組み立て段階を示す平面図である。
【図２８】骨組部材が絶縁部分上に置かれる第２組み立て段階を示す平面図である。
【図２９】引張ケーブルが骨組部材の間に経由された外側パネルを組み立てる際の第３組み立て段階を示す平面図である。
【図３０】網目部分がパネルのパネル部分の上に連結された外側パネルを組み立てる際の第４段階を示す平面図である。
【図３１】本発明の第３実施態様による完成した外側パネルの平面図である。
【図３２】第３１図の線３２−３２に沿って取った完成した外側パネルの断面図である。
【図３３】本発明の第４実施態様による内側パネルに含まれた骨組部材の平面図である。
【図３４】第３３図に示された側部骨組部材の部分の側面図である。
【図３５】第３４図に示された骨組部分の正面図である。
【図３６】第３３図に示された頂部骨組部材の骨組部分の正面図である。
【図３７】第３６図に示された骨組部分の端面図である。
【図３８】第３６図の骨組部分を備えた第３４図の骨組部分の連結部を示す平面図である。
【図３９】骨組部材の間の引張ケーブルの経由を含む内側パネルを形成する際の組み立て段階の平面図である。
【図４０】骨組部材の間の網目材の連結部を含む、内側パネルを形成する際の組み立て段階の平面図である。
【図４１】仕上げ内側パネルの平面図である。
【図４２】第４１図に示された内側パネルの線４２−４２に沿って取った断面図である。
【図４３】発明の第５実施態様による屋根パネルに含まれた骨組部材の平面図である。
【図４４】第４３図に示された頂部骨組部材の骨組部分の側面図である。
【図４５】第４４図に示された骨組部分の正面図である。
【図４６】第４３図に示された頂部骨組部材の連結部分の側面図である。
【図４７】第４６図に示された連結部分の正面図である。
【図４８】第４３図の側部骨組部材の頂端部分の側面図である。
【図４９】第４８図に示された頂端部分の正面図である。
【図５０】骨組部材が絶縁材上に置かれた屋根パネルを形成する際の組み立て段階の平面図である。
【図５１】引張ケーブルが骨組部材の間に連結された屋根パネルを形成する際の組み立て段階の平面図である。
【図５２】網目材の第１層が骨組部材の間に連結された屋根パネルを形成する際の組み立て段階の平面図である。
【図５３】本発明の第５実施態様による完成した屋根パネルの断面図である。
【図５４】本発明の第５実施態様による完成した屋根パネルの平面図である。
【図５５】本発明による屋根、床及び壁部分の組み立てを示す分解図である。
【図５６】第５５図の線５６−５６に沿って取った断面図である。
【図５７】第５５図の線５７−５７に沿って取った断面図である。
【図５８】構造のユニットを形成するための、発明によるパネルの使用を示す高層構造の斜視図である。
【図５９】本発明によるパネルのさらに他の使用を示す出荷用容器の斜視図である。
【図６０】第５９図の容器の中央部分の断片側面図である。
【図６１】第６０図に示された中央部分の断片斜視図である。
【図６２】部分組み立て状態において、第６０図と第６１図に示された中央部分の断片斜視図である。
【図６３】完成状態において第６０図、第６１図と第６２図に示された中央部分の断片斜視図である。
【図６４】第５９図に示された容器の隅部分の断片斜視図である。
【図６５】第６４図に示された隅部分の断片側面図である。
【図６６】部分完成状態において、第６４図と第６５図に示された隅部分の断片斜視図である。
【図６７】完成状態において第６４図、第６５図と第６６図に示された隅部分の断片斜視図である。
【図６８】第５９図と第６０図に示された容器において出荷された構成部品から建造された家屋の平面図である。
【図６９】第６８図の家屋の側面図である。
【図７０】建築学上の仕上げ材をパネルに固着する方法を示す、発明の第３実施態様による外側パネルの層化図である。
【図７１】多様な寸法を有するパネル構成の複数の平面図を示す。
【図７２】本発明の第６実施態様による湾曲隅部基礎部材の斜視図である。
【図７３】本発明の第７実施態様による、湾曲隅部を有する床パネルに含まれた骨組部材の平面図である。
【図７４】骨組部材が絶縁材上に置かれた第７実施態様によるパネルを形成する際の組み立て段階の平面図である。
【図７５】引張ケーブルが骨組部材の間に連結された第７実施態様によるパネルを形成する際の組み立て段階の平面図である。
【図７６】網目材の第１層が骨組部材の間に連結された第７実施態様によるパネルを形成する際の組み立て段階の平面図である。
【図７７】本発明の第７実施態様による完成した床パネルの平面図である。
【図７８】本発明の第８実施態様による湾曲外壁パネルに含まれた骨組部材の平面図である。
【図７９】第７８図に示された第１湾曲骨組部材の底面図である。
【図８０】本発明の第８実施態様による湾曲スタイロフォームスラブの頂面図である。
【図８１】第８０図の湾曲スタイロフォームスラブが網目材の層と不透水性膜の上に置かれた第８実施態様によるパネルを形成する際の組み立て段階の平面図である。
【図８２】引張ケーブルが対向湾曲骨組部材の間に経由され、網目及び不透水性膜をパネルの端部骨組部材の縁の回りに巻付けた、第８実施態様によるパネルを形成する際の組み立て段階の平面図である。
【図８３】網目材の第２層が凹状内面を形成するための骨組部材の間に敷設され、コンクリート保持縁木枠がフォーム部材に固着された第８実施態様によるパネルを形成する際の組み立て段階の平面図である。
【図８４】第８３図の線８４−８４に沿って取ったパネルの断面図である。
【図８５】湾曲壁パネルの断面図である。
【図８６】完成した湾曲壁パネルの平面図である。
【図８７】本発明の第６、第７、及び第８実施態様による、湾曲基礎部分、湾曲部分を有する床パネルと湾曲外壁部分を有する構造の隅部の斜視図である。
【図１】
0003705796.tif 000002
【図２】
0003705796.tif 000003
【図３】
0003705796.tif 000004
【図４】
0003705796.tif 000005
【図５】
0003705796.tif 000006
【図６】
0003705796.tif 000007
【図７】
0003705796.tif 000008
【図８】
0003705796.tif 000009
【図９】
0003705796.tif 000010
【図１０】
0003705796.tif 000011
【図１１】
0003705796.tif 000012
【図１２】
0003705796.tif 000013
【図１３】
0003705796.tif 000014
【図１４】
0003705796.tif 000015
【図１５】
0003705796.tif 000016
【図１６】
0003705796.tif 000017
【図１７】
0003705796.tif 000018
【図１８】
0003705796.tif 000019
【図１９】
0003705796.tif 000020
【図２０】
0003705796.tif 000021
【図２１】
0003705796.tif 000022
【図２２】
0003705796.tif 000023
【図２３】
0003705796.tif 000024
【図２４】
0003705796.tif 000025
【図２５】
0003705796.tif 000026
【図２６】
0003705796.tif 000027
【図２７】
0003705796.tif 000028
【図２８】
0003705796.tif 000029
【図２９】
0003705796.tif 000030
【図３０】
0003705796.tif 000031
【図３１】
0003705796.tif 000032
【図３２】
0003705796.tif 000033
【図３３】
0003705796.tif 000034
【図３４】
0003705796.tif 000035
【図３５】
0003705796.tif 000036
【図３６】
0003705796.tif 000037
【図３７】
0003705796.tif 000038
【図３８】
0003705796.tif 000039
【図３９】
0003705796.tif 000040
【図４０】
0003705796.tif 000041
【図４１】
0003705796.tif 000042
【図４２】
0003705796.tif 000043
【図４３】
0003705796.tif 000044
【図４４】
0003705796.tif 000045
【図４５】
0003705796.tif 000046
【図４６】
0003705796.tif 000047
【図４７】
0003705796.tif 000048
【図４８】
0003705796.tif 000049
【図４９】
0003705796.tif 000050
【図５０】
0003705796.tif 000051
【図５１】
0003705796.tif 000052
【図５２】
0003705796.tif 000053
【図５３】
0003705796.tif 000054
【図５４】
0003705796.tif 000055
【図５５】
0003705796.tif 000056
【図５６】
0003705796.tif 000057
【図５７】
0003705796.tif 000058
【図５８】
0003705796.tif 000059
【図５９】
0003705796.tif 000060
【図６０】
0003705796.tif 000061
【図６１】
0003705796.tif 000062
【図６２】
0003705796.tif 000063
【図６３】
0003705796.tif 000064
【図６４】
0003705796.tif 000065
【図６５】
0003705796.tif 000066
【図６６】
0003705796.tif 000067
【図６７】
0003705796.tif 000068
【図６８】
0003705796.tif 000069
【図６９】
0003705796.tif 000070
【図７０】
0003705796.tif 000071
【図７１】
0003705796.tif 000072
【図７２】
0003705796.tif 000073
【図７３】
0003705796.tif 000074
【図７４】
0003705796.tif 000075
【図７５】
0003705796.tif 000076
【図７６】
0003705796.tif 000077
【図７７】
0003705796.tif 000078
【図７８】
0003705796.tif 000079
【図７９】
0003705796.tif 000080
【図８０】
0003705796.tif 000081
【図８１】
0003705796.tif 000082
【図８２】
0003705796.tif 000083
【図８３】
0003705796.tif 000084
【図８４】
0003705796.tif 000085
【図８５】
0003705796.tif 000086
【図８６】
0003705796.tif 000087
【図８７】
0003705796.tif 000088